(57)【要約】本開示の態様は、第１のワイヤレスサービスのスロットについての制御データを受信することを説明し、ここで制御データは、第１のワイヤレスサービスの通信を対象としたスロットのうちの１つまたは複数の部分スロットを示す。第１のワイヤレスサービスのデータが１つまたは複数の部分スロットのうちの少なくとも１つ上で送信されるかどうか示すインジケータが、制御データとは異なる時間において受信され得る。１つまたは複数の部分スロットのうちの少なくとも１つ上の第１のワイヤレスサービスのデータが、インジケータに少なくとも部分的に基づいて復号され得る。【選択図】図６
2020511836.tif 000002
【特許請求の範囲】
【請求項１】
ワイヤレス通信を受信するための方法であって、
ユーザ装置（ＵＥ）において、第１のワイヤレスサービスに対応するスロットについての制御データを受信することと、ここにおいて、前記制御データは、前記第１のワイヤレスサービスの通信を対象とした前記スロットのうちの１つまたは複数の部分スロットを示し、
前記ＵＥにおいて、前記制御データとは異なる時間において、前記第１のワイヤレスサービスのデータが前記１つまたは複数の部分スロットのうちの少なくとも１つ上で前記ＵＥのために送信されるかどうか示すインジケータを受信することと、
前記ＵＥにおいて、前記インジケータに少なくとも部分的に基づいて、前記１つまたは複数の部分スロットのうちの前記少なくとも１つからの前記第１のワイヤレスサービスの前記データを復号することと、
を備える、方法。
【請求項２】
前記制御データが、前記スロットの第１の部分スロットにおいて受信され、前記インジケータが、前記スロットの前記第１の部分スロットを含まない、前記１つまたは複数の部分スロットのうちの前記少なくとも１つにおいて受信される、請求項１に記載の方法。
【請求項３】
インジケータチャネルにおいて前記インジケータを受信することをさらに備え、前記インジケータチャネルは、前記スロットの複数の部分スロットの各々において送信される複数のインジケータチャネルのうちの１つであり、前記複数のインジケータチャネルは各々、前記複数の部分スロットのそれぞれ１つに対応する、請求項１に記載の方法。
【請求項４】
インジケータチャネルにおいて前記インジケータを受信することをさらに備え、前記インジケータチャネルは、前記スロットの複数の部分スロットの各々において送信される複数のインジケータチャネルのうちの１つであり、前記インジケータに少なくとも部分的に基づいて前記第１のワイヤレスサービスの前記データを復号することが、前記１つまたは複数の部分スロットを含む前記複数の部分スロットの一部に対応する前記複数のインジケータチャネルのサブセットのインジケータを決定することを備える、請求項１に記載の方法。
【請求項５】
前記インジケータが、前記第１のワイヤレスサービスの前記データが前記１つまたは複数の部分スロットのうちの前記少なくとも１つ上で前記ＵＥのために送信されるかどうか示す１ビットのインジケータである、請求項１に記載の方法。
【請求項６】
前記インジケータが、前記第１のワイヤレスサービスの前記データが前記ＵＥのためにそれ上で送信される、前記１つまたは複数の部分スロットのうちの前記少なくとも１つ上の、周波数リソースの一部を示し、前記第１のワイヤレスサービスのデータが前記ＵＥのために送信されることを前記インジケータが示すかどうか決定することが、周波数リソースの前記一部が前記制御データに示されたリソースの１つまたは複数の部分を含むかどうか決定することを備える、請求項１に記載の方法。
【請求項７】
前記第１のワイヤレスサービスが、前記スロットのサンプリングタイミング持続時間に対応するエンハンストモバイルブロードバンド（ｅＭＢＢ）サービスであり、前記インジケータが、前記１つまたは複数の部分スロット毎に、前記１つまたは複数の部分スロットの各々において、前記ＵＥのために前記ｅＭＢＢサービスのデータが送信されるのか、または非ｅＭＢＢサービスのデータが送信されるのかを示し、前記非ｅＭＢＢサービスが、部分スロットのサンプリングタイミング持続時間に対応する、請求項１に記載の方法。
【請求項８】
ワイヤレス通信を受信するための装置であって、
１つまたは複数のアンテナを介して１つまたは複数のワイヤレス信号を通信するためのトランシーバと、
命令を記憶するように構成されるメモリと、
前記トランシーバおよび前記メモリと通信可能に結合された１つまたは複数のプロセッサと、
を備え、ここにおいて、前記１つまたは複数のプロセッサが、
第１のワイヤレスサービスに対応するスロットについての制御データを受信することと、ここにおいて、前記制御データは、前記第１のワイヤレスサービスの通信を対象とした前記スロットのうちの１つまたは複数の部分スロットを示し、
前記制御データとは異なる時間において、前記第１のワイヤレスサービスのデータが、前記１つまたは複数の部分スロットのうちの少なくとも１つ上で前記装置のために送信されるかどうか示すインジケータを受信することと、
前記インジケータに少なくとも部分的に基づいて、前記１つまたは複数の部分スロットのうちの前記少なくとも１つからの前記第１のワイヤレスサービスの前記データを復号することと、
を行うように構成される、装置。
【請求項９】
前記制御データが、前記スロットの第１の部分スロットにおいて受信され、前記インジケータが、前記スロットの前記第１の部分スロットを含まない、前記１つまたは複数の部分スロットのうちの前記少なくとも１つにおいて受信される、請求項８に記載の装置。
【請求項１０】
前記１つまたは複数のプロセッサが、インジケータチャネルにおいて前記インジケータを受信するようにさらに構成され、前記インジケータチャネルは、前記スロットの複数の部分スロットの各々において送信される複数のインジケータチャネルのうちの１つであり、前記複数のインジケータチャネルは各々、前記複数の部分スロットのそれぞれ１つに対応する、請求項８に記載の装置。
【請求項１１】
前記１つまたは複数のプロセッサが、インジケータチャネルにおいて前記インジケータを受信するようにさらに構成され、前記インジケータチャネルは、前記スロットの複数の部分スロットの各々において送信される複数のインジケータチャネルのうちの１つであり、前記１つまたは複数のプロセッサが、前記１つまたは複数の部分スロットを含む前記複数の部分スロットの一部に対応する前記複数のインジケータチャネルのサブセットのインジケータを決定することに少なくとも部分的に基づいて、前記第１のワイヤレスサービスの前記データを復号するように構成される、請求項８に記載の装置。
【請求項１２】
前記インジケータが、前記第１のワイヤレスサービスの前記データが、前記１つまたは複数の部分スロットのうちの前記少なくとも１つ上で前記装置のために送信されるかどうか示す１ビットのインジケータである、請求項８に記載の装置。
【請求項１３】
前記インジケータが、前記第１のワイヤレスサービスの前記データが前記装置のためにそれ上で送信される、前記１つまたは複数の部分スロットのうちの前記少なくとも１つ上の、周波数リソースの一部を示し、前記１つまたは複数のプロセッサが、周波数リソースの前記一部が前記制御データに示されたリソースの１つまたは複数の部分を含むかどうか決定する、請求項８に記載の装置。
【請求項１４】
前記第１のワイヤレスサービスが、前記スロットのサンプリングタイミング持続時間に対応するエンハンストモバイルブロードバンド（ｅＭＢＢ）サービスであり、前記インジケータが、前記１つまたは複数の部分スロット毎に、前記１つまたは複数の部分スロットの各々において、前記ＵＥのために前記ｅＭＢＢサービスのデータが送信されるのか、または非ｅＭＢＢサービスのデータが送信されるのかを示し、前記非ｅＭＢＢサービスが、部分スロットのサンプリングタイミング持続時間に対応する、請求項８に記載の装置。
【請求項１５】
ワイヤレス通信を受信するための方法であって、
第１のワイヤレスサービスを使用して通信するユーザ装置（ＵＥ）において、第２のワイヤレスサービスに関するリソース割り振りを示す割り振り識別子を、アクセスポイントから受信することと、
前記ＵＥによって、前記第１のワイヤレスサービスのスロットのうちの１つまたは複数の対応する部分スロットが、前記第２のワイヤレスサービスの通信のためにパンクチャされるリソースを含むことを示す１つまたは複数のインジケータを、前記アクセスポイントから受信することと、
前記ＵＥによって、および前記割り振り識別子に基づいて、前記１つまたは複数の対応する部分スロット内でパンクチャされる前記リソースのロケーションを決定することと、
前記ＵＥによって、前記リソースの前記ロケーションの周りで、前記１つまたは複数の対応する部分スロットを含む前記スロット上の前記第１のワイヤレスサービスのデータを復号することと、
を備える、方法。
【請求項１６】
前記割り振り識別子は、前記第２のワイヤレスサービスを使用するように別のＵＥを構成することに関する、請求項１５に記載の方法。
【請求項１７】
前記割り振り識別子を受信することが、前記アクセスポイントから無線リソース制御（ＲＲＣ）シグナリングにおいて前記割り振り識別子を受信することを備える、請求項１５に記載の方法。
【請求項１８】
前記１つまたは複数のインジケータが、前記１つまたは複数の対応する部分スロットの各々内で送信される、請求項１５に記載の方法。
【請求項１９】
前記１つまたは複数のインジケータが、前記１つまたは複数の対応するスロットが前記第２のワイヤレスサービスの通信のためにパンクチャされる前記リソースを含むことを示すための単一のビット、または前記１つまたは複数の対応するスロットが複数の他のＵＥのための前記第２のワイヤレスサービスの通信のためにパンクチャされる複数のリソースを含むことを示すための複数のビット、のうちの少なくとも１つを備える、請求項１８に記載の方法。
【請求項２０】
前記ＵＥによって、および前記割り振り識別子に基づいて、前記第２のワイヤレスサービスの通信のためにパンクチャされる前記リソースのための変調およびコーディングスキームを決定することをさらに備え、前記ＵＥによって、前記リソースの前記ロケーションの周りで、前記第１のワイヤレスサービスのデータを復号することが、前記第２のワイヤレスサービスのための前記変調およびコーディングスキームにさらに基づく、請求項１５に記載の方法。
【請求項２１】
前記ＵＥによって、前記リソースの前記ロケーションの周りで、前記第１のワイヤレスサービスのデータを復号することが、前記１つまたは複数の対応する部分スロットのうちの少なくとも１つにおける前記リソースの前記ロケーションの周りでレートマッチングすることを備える、請求項１５に記載の方法。
【請求項２２】
前記第１のワイヤレスサービスが、前記スロットのサンプリングタイミング持続時間に対応するエンハンストモバイルブロードバンド（ｅＭＢＢ）サービスであり、前記第２のワイヤレスサービスが、部分スロットのサンプリングタイミング持続時間に対応する非ｅＭＢＢサービスである、請求項１５に記載の方法。
【請求項２３】
ワイヤレス通信を受信するための装置であって、
１つまたは複数のアンテナを介して１つまたは複数のワイヤレス信号を通信するためのトランシーバと、
命令を記憶するように構成されるメモリと、
前記トランシーバおよび前記メモリと通信可能に結合された１つまたは複数のプロセッサと、
を備え、ここにおいて、前記１つまたは複数のプロセッサが、
第１のワイヤレスサービスを使用して、アクセスポイントから割り振り識別子を受信することと、ここにおいて、前記割り振り識別子は、第２のワイヤレスサービスに関するリソース割り振りを示す、
前記第１のワイヤレスサービスのスロットのうちの１つまたは複数の対応する部分スロットが、前記第２のワイヤレスサービスの通信のためにパンクチャされるリソースを含むことを示す１つまたは複数のインジケータを、前記アクセスポイントから受信することと、
前記割り振り識別子に基づいて、前記１つまたは複数の対応する部分スロット内でパンクチャされる前記リソースのロケーションを決定することと、
前記リソースの前記ロケーションの周りで、前記１つまたは複数の対応する部分スロットを含む前記スロット上の前記第１のワイヤレスサービスのデータを復号することと、
を行うように構成される、装置。
【請求項２４】
前記割り振り識別子は、前記第２のワイヤレスサービスを使用するように別のＵＥを構成することに関する、請求項２３に記載の装置。
【請求項２５】
前記１つまたは複数のプロセッサが、前記アクセスポイントから、無線リソース制御（ＲＲＣ）シグナリングにおいて前記割り振り識別子を受信するように構成される、請求項２３に記載の装置。
【請求項２６】
前記１つまたは複数のインジケータが、前記１つまたは複数の対応する部分スロットの各々内で送信される、請求項２３に記載の装置。
【請求項２７】
前記１つまたは複数のインジケータが、前記１つまたは複数の対応するスロットが前記第２のワイヤレスサービスの通信のためにパンクチャされる前記リソースを含むことを示すための単一のビット、または前記１つまたは複数の対応するスロットが複数の他のＵＥのための前記第２のワイヤレスサービスの通信のためにパンクチャされる複数のリソースを含むことを示すための複数のビット、のうちの少なくとも１つを備える、請求項２６に記載の装置。
【請求項２８】
前記１つまたは複数のプロセッサが、前記割り振り識別子に基づいて、前記第２のワイヤレスサービスの通信のためにパンクチャされる前記リソースのための変調およびコーディングスキームを決定するようにさらに構成され、前記１つまたは複数のプロセッサが、前記リソースの前記ロケーションの周りで、前記第２のワイヤレスサービスのための前記変調およびコーディングスキームにさらに基づいて、前記第１のワイヤレスサービスのデータを復号するように構成される、請求項２３に記載の装置。
【請求項２９】
前記１つまたは複数のプロセッサが、前記リソースの前記ロケーションの周りで、前記１つまたは複数の対応する部分スロットのうちの少なくとも１つにおける前記リソースの前記ロケーションの周りで少なくとも一部レートマッチングすることによって、前記第１のワイヤレスサービスのデータを復号するように構成される、請求項２３に記載の装置。
【請求項３０】
前記第１のワイヤレスサービスが、前記スロットのサンプリングタイミング持続時間に対応するエンハンストモバイルブロードバンド（ｅＭＢＢ）サービスであり、前記第２のワイヤレスサービスが、部分スロットのサンプリングタイミング持続時間に対応する非ｅＭＢＢサービスである、請求項２３に記載の装置。
【発明の詳細な説明】
【関連出願の相互参照】
【０００１】
[0001]  本特許出願は、「MULTIPLEXING DIFFERENT SERVICES IN WIRELESS COMMUNICATIONS」と題されて２０１８年３月１４日に出願された米国非仮出願第１５／９２１，１４８号、「Multiplexing Different Services IN WIRELESS COMMUNICATIONS」と題されて２０１７年３月１６日に出願された米国仮出願第６２／４７２，３８９号、および「PRE-CONFIGURATION INDICATION FOR ENHANCED MOBILE BROADBAND AND LOW LATENCY COMMUNICATION MULTIPLEXING」と題されて２０１７年４月３日に出願された仮出願第６２／４８１，０５０号に対して優先権を主張し、それらは本願の譲受人に譲渡され、これにより、以下に完全に記載されるかのように、全ての目的のために本明細書に参照によって明示的に組み込まれる。
【技術分野】
【０００２】
[0002]  本開示の態様は一般に、ワイヤレス通信システムに関し、より具体的には、異なるサービスの通信を多重化することに関する。実施形態は、例えば、あるサービスを使用する通信のための対象リソース(intended resources)をスケジューリングするために制御データ領域を使用することに基づいて、または対象リソースがそのサービスからの通信を含むか（または他のサービスからの通信を含むか）示す別のインジケータチャネル(a separate indicator channel)を使用することに基づいて、多重化を可能して提供できる。これは、そうでなければ多重化情報（multiplexing information）を示すために必要になり得るスペクトルリソースの使用を減少させることができる。
【背景技術】
【０００３】
[0003]  ワイヤレス通信システムは、音声、ビデオ、パケットデータ、メッセージング、ブロードキャスト等のような様々なタイプの通信コンテンツを提供するために広く展開されている。これらシステムは、利用可能なシステムリソース（例えば、時間、周波数、および電力）を共有することによって、複数のユーザとの通信をサポートできる多元接続システムであり得る。このような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システム、および単一キャリア周波数分割多元接続（ＳＣ−ＦＤＭＡ）システムを含む。これら多元接続技術は、異なるワイヤレスデバイスが、都市、国家、地域、さらには地球規模で通信することを可能にする共通プロトコルを提供するために、様々な電気通信規格において採用されてきた。
【発明の概要】
【０００４】
[0004]  以下は、１つまたは複数の態様の基本的な理解を提供するために、そのような態様の簡略化された概要を提示する。この概要は、全ての考慮された態様の広範な概観ではなく、そして、全ての態様の主要または重要な要素を特定するようにも、任意のまたは全ての態様の範囲を詳細に叙述するようにも、意図されていない。その唯一の目的は、後に提示されるより詳細な説明への前置きとして、簡略化された形式で、１つまたは複数の態様のうちのいくつかの概念を提示することである。
【０００５】
[0005]  本出願で説明される技術および技術的特徴は、第５世代（５Ｇ）ワイヤレス通信技術を含む通信ネットワーク技術で利用され得る。これは５Ｇ新無線（５ＧＮＲ：new radio）と呼ばれ得る。５Ｇは、現在のモバイルネットワーク世代に関する多様な使用状況および用途をサポートおよび拡張することになる。一態様において、５Ｇ通信技術は、マルチメディアコンテンツ、サービスおよびデータへのアクセスのための人間中心使用事例に対処するエンハンストモバイルブロードバンド（ｅＭＢＢ）、レイテンシおよび信頼性についてのある特定の仕様を伴うウルトラリライアブル低レイテンシ通信（ＵＲＬＬＣ）、並びに非常に多くの数の接続されたデバイスおよび比較的少量の遅延に敏感でない情報（non-delay-sensitive information）の送信を可能にできる巨大マシンタイプ通信等のサービスを含むことができる。
【０００６】
[0006]  ５Ｇでは、ｅＭＢＢおよびＵＲＬＬＣサービスが、異なる送信持続時間に基づいて送信され得る。サンプルタイミング持続時間または間隔は、ｅＭＢＢのためのスロットおよびＵＲＬＬＣのための部分スロットであり得る。加えて、ＵＲＬＬＣ通信は、ｅＭＢＢに比べてより高い名目信頼性およびより低い名目レイテンシに関連し得る。また、ＵＲＬＬＣ通信は、より短くより頻繁な送信時間間隔（ＴＴＩ）で送信され得、および／またはｅＭＢＢと比較して異なる再送信または他の信頼性メカニズムを使用し得る。これらサービスを多重化するために、以下に説明される技術の実施形態は、プリエンプションベースの多重化（preemption-based multiplexing）を含むことができる。この多重化アプローチは、ＵＲＬＬＣ部分スロットの各時間区分に、その部分スロット中のｅＭＢＢ通信のためにスケジューリングされたリソース上でＵＲＬＬＣが送信されるかどうか示すためのインジケータを含むことができる。
【０００７】
[0007]  プリエンプションベースの多重化は、基地局が複数のインジケータチャネルを周期的に送ることを必要とする。これらインジケータは一般に、ＵＲＬＬＣ通信に関する様々なパラメータを含むことができる。いくつかの状況において、インジケータは、ｅＭＢＢ通信を受信するＵＥが各ＵＲＬＬＣ部分スロットにおける各インジケータチャネルを復号することを要求し得る。そうすることで、部分スロットにおけるリソースがＵＲＬＬＣ通信でパンクチャされる可能性があると、および／またはｅＭＢＢスロットのＵＲＬＬＣ部分スロット部分を無視するべきかどうか、決定することを助けるのに役立つことができる。これは、どの部分スロットが復号され得るのか、並びにどれがスキップされ得るのかをＵＲＬＬＣ  ＵＥに決定させることによって、ＵＲＬＬＣ通信を復号することを試みているＵＲＬＬＣ  ＵＥにとって有益であり得る一方で、このインジケータチャネルを復号することは、かなりの処理リソースを使用し得、且つ通信されるＵＲＬＬＣ関連パラメータの数および／またはサイズに基づくスペクトルリソースを消費し得る。加えて、ｅＭＢＢデータの復号は、インジケータチャネルが適切に復号されない場合、ｅＭＢＢデータのためのレートマッチングがそれに応じてＵＲＬＬＣパンクチャリソース（the URLLC-punctured resources）を含むように行われることになるので、望ましくない結果を引き起こし得る。
【０００８】
[0008]  スケジューリングベースの多重化もまた提案されており、ここではｅＭＢＢおよびＵＲＬＬＣ通信は、周波数分割多重化され、独立してスケジューリングされる。しかしながら、スケジューリングベースの多重化は非効率であり得る、なぜならＵＲＬＬＣトラフィックは予測不可能である（よってＵＲＬＬＣトラフィックが存在しない場合にリソースが無駄になり得る）、共存領域（coexistence region）に過剰なＵＲＬＬＣ制御オーバヘッドを有し得る、共存領域に過剰な基準信号オーバヘッドを有し得る、および／またはｅＭＢＢおよび／またはＵＲＬＬＣについて制御をモニタするＵＥにおいて過剰な電力消費を生じさせ得る、からである。
【０００９】
[0009]  ある例によれば、ワイヤレス通信を受信するための方法が提供される。方法は、ユーザ装置（ＵＥ）において、第１のワイヤレスサービスに対応するスロットについての制御データを受信すること、ここで制御データは、第１のワイヤレスサービスの通信を対象としたスロットのうちの１つまたは複数の部分スロットを示す、と、ＵＥにおいて、制御データとは異なる時間において、第１のワイヤレスサービスのデータが１つまたは複数の部分スロットのうちの少なくとも１つ上でＵＥのために送信されるかどうか示すインジケータを受信することと、ＵＥにおいて、インジケータに少なくとも部分的に基づいて、１つまたは複数の部分スロットのうちの少なくとも１つからの第１のワイヤレスサービスのデータを復号することと、を含む。
【００１０】
[0010]  別の例では、ワイヤレス通信を送信するための方法が提供される。方法は、アクセスポイントによって、第１のワイヤレスサービスのスロットについての制御データを送信すること、ここにおいて、制御データは、対応するＵＥのための第１のワイヤレスサービスの通信を対象としたスロットのうちの１つまたは複数の部分スロットを示し、と、アクセスポイントによって、制御データとは異なる時間において、第１のワイヤレスサービスのデータが１つまたは複数の部分スロットのうちの少なくとも１つ上でＵＥのために送信されるかどうか示すインジケータを送信することと、アクセスポイントによって、およびインジケータに基づいて、１つまたは複数の部分スロットのうちの少なくとも１つにおけるリソース上で、第１のワイヤレスサービスのデータまたは第２のワイヤレスサービスのデータを送信することと、を含む。
【００１１】
[0011]  別の例では、第１のワイヤレスサービスを使用して通信するＵＥにおいて、アクセスポイントから割り振り識別子を受信すること、ここにおいて、割り振り識別子は、第２のワイヤレスサービスに関するリソース割り振りを示す、と、ＵＥによって、アクセスポイントから、第１のワイヤレスサービスのスロットのうちの１つまたは複数の対応する部分スロットが、第２のワイヤレスサービスの通信のためにパンクチャされるリソースを含むことを示す１つまたは複数のインジケータを受信することと、を含むワイヤレス通信を受信するための方法が提供される。方法はまた、ＵＥによって、および割り振り識別子に基づいて、１つまたは複数の対応する部分スロット内でパンクチャされるリソースのロケーションを決定することと、ＵＥによって、リソースのそのロケーションの周りで、１つまたは複数の対応する部分スロットを含むスロット上の第１のワイヤレスサービスのデータを復号することと、を含む。
【００１２】
[0012]  さらに別の例では、第１のワイヤレスサービスを使用する１つまたは複数のＵＥに、第２のワイヤレスサービスに関するリソース割り振りを示すための割り振り識別子を送信することと、１つまたは複数のＵＥに、第１のワイヤレスサービスのスロットのうちの１つまたは複数の対応する部分スロットが第２のワイヤレスサービスの通信のためにパンクチャされるリソースを含むことを示す１つまたは複数のインジケータを送信することと、を含む、ワイヤレス通信を送信するための方法が提供される。方法はまた、第２のワイヤレスサービスの通信のために、割り振り識別子に対応する１つまたは複数のロケーションにおいて、第１のワイヤレスサービスのリソースをパンクチャすること、それらリソース上で第２のワイヤレスサービスの通信を１つまたは複数の他のＵＥに送信すること、および／または第２のワイヤレスサービスの通信のためにパンクチャされるリソース以外の、スロットにおける１つまたは複数のリソース上で、第１のワイヤレスサービスに関するデータを１つまたは複数のＵＥに送信することを含み得る。
【００１３】
[0013]  さらなる態様では、トランシーバと、命令を記憶するように構成されるメモリと、トランシーバおよびメモリと通信可能に結合された１つまたは複数のプロセッサとを含むワイヤレス通信のための装置が提供される。１つまたは複数のプロセッサは、ここに説明される方法の動作を行うための命令を実行するように構成される。別の態様では、ここに説明される方法の動作を行うための手段を含むワイヤレス通信のための装置が提供される。さらに別の態様では、ここに説明される方法の動作を行うするために１つまたは複数のプロセッサによって実行可能なコードを含むコンピュータ読み取り可能な媒体が提供される。
【００１４】
[0014]  例えば、ワイヤレス通信を受信するための装置は、１つまたは複数のアンテナを介して１つまたは複数のワイヤレス信号を通信するためのトランシーバと、命令を記憶するように構成されるメモリと、トランシーバおよびメモリと通信可能に結合された１つまたは複数のプロセッサとを含むことができる。１つまたは複数のプロセッサは、第１のワイヤレスサービスに対応するスロットについての制御データを受信すること、ここにおいて、制御データは、第１のワイヤレスサービスの通信を対象としたスロットのうちの１つまたは複数の部分スロットを示し、と、制御データとは異なる時間において、第１のワイヤレスサービスのデータが１つまたは複数の部分スロットのうちの少なくとも１つ上で装置のために送信されるかどうか示すインジケータを受信することと、インジケータに少なくとも部分的に基づいて、１つまたは複数の部分スロットのうちの少なくとも１つからの第１のワイヤレスサービスのデータを復号することと、を行うように構成され得る。
【００１５】
[0015]  さらに別の例では、ワイヤレス通信を受信するための装置が、１つまたは複数のアンテナを介して１つまたは複数のワイヤレス信号を通信するためのトランシーバと、命令を記憶するように構成されるメモリと、トランシーバおよびメモリと通信可能に結合された１つまたは複数のプロセッサとを含み得る。１つまたは複数のプロセッサは、第１のワイヤレスサービスを使用して、アクセスポイントから割り振り識別子を受信すること、ここにおいて、割り振り識別子は、第２のワイヤレスサービスに関するリソース割り振りを示し、と、第１のワイヤレスサービスのスロットのうちの１つまたは複数の対応する部分スロットが、第２のワイヤレスサービスの通信のためにパンクチャされるリソースを含むことを示す１つまたは複数のインジケータをアクセスポイントから受信することと、割り振り識別子に基づいて、１つまたは複数の対応する部分スロット内でパンクチャされるリソースのロケーションを決定することと、およびリソースのロケーションの周りで、１つまたは複数の対応する部分スロットを含むスロット上の第１のワイヤレスサービスのデータを復号することと、を行うように構成され得る。
【００１６】
[0016]  別の例では、ワイヤレス通信を受信するための装置が、第１のワイヤレスサービスに対応するスロットについての制御データを受信するための手段、ここで制御データは、第１のワイヤレスサービスの通信を対象としたスロットのうちの１つまたは複数の部分スロットを示す、と、制御データとは異なる時間において、第１のワイヤレスサービスのデータが１つまたは複数の部分スロットのうちの少なくとも１つ上で装置のために送信されるかどうか示すインジケータを受信するための手段と、インジケータに少なくとも部分的に基づいて、１つまたは複数の部分スロットのうちの少なくとも１つからの第１のワイヤレスサービスのデータを復号するための手段と、を含むことができる。
【００１７】
[0017]  さらに別の例では、ワイヤレス通信を受信するための装置が、第１のワイヤレスサービスを使用して、アクセスポイントから割り振り識別子を受信するための手段、ここで割り振り識別子は、第２のワイヤレスサービスに関するリソース割り振りを示す、と、第１のワイヤレスサービスのスロットのうちの１つまたは複数の対応する部分スロットが、第２のワイヤレスサービスの通信のためにパンクチャされるリソースを含むことを示す１つまたは複数のインジケータをアクセスポイントから受信するための手段と、割り振り識別子に基づいて、１つまたは複数の対応する部分スロット内でパンクチャされるリソースのロケーションを決定するための手段と、リソースのロケーションの周りで、１つまたは複数の対応する部分スロットを含むスロット上の第１のワイヤレスサービスのデータを復号するための手段と、を含み得る。
【００１８】
[0018]  技術の他の態様、特徴、および実施形態は、添付の図面と併せて、特定の例示的な実施形態の以下の説明を検討すると、当業者に明らかとなるであろう。以下に説明される技術の特徴は、ある特定の実施形態および図に関連して以下で説明され得るが、全ての実施形態は、説明される有利な特徴のうちの１つまたは複数を含むことができる。１つまたは複数の実施形態は、ある特定の有利な特徴を有するものと説明され得るが、そのような特徴のうちの１つまたは複数はまた、説明される様々な実施形態に従って使用され得る。同様に、例示的な実施形態は、デバイス、システム、または方法の実施形態として以下で説明され得るが、そのような例示的な実施形態は、様々な形、サイズ、レイアウト、配列、回路、デバイス、システムおよび方法で実施され得ることは理解されるべきである。
【００１９】
[0019]  開示される態様は、開示される態様を限定するためではなく例示するために提供される添付の図面と併せて以下で説明されることになり、ここで、同様の表記（designations）は同様の要素を意味する。
【図面の簡単な説明】
【００２０】
【図１】本開示の様々な態様による、ワイヤレス通信システムの例を例示する。
【図２】本開示の様々な態様による、基地局の例を例示するブロック図である。
【図３】本開示の様々な態様による、ＵＥの例を例示するブロック図である。
【図４】本開示の様々な態様による、制御データおよびインジケータを送信するための方法の例を例示するフローチャートである。
【図５】本開示の様々な態様による、制御データおよびインジケータを受信するための方法の例を例示するフローチャートである。
【図６】本開示の様々な態様による、制御チャネルおよび１つまたは複数のインジケータチャネルを伴う周波数および時間リソースの割り振りの例を例示する。
【図７】本開示の様々な態様による、割り振り識別子およびインジケータを送信するための方法の例を例示するフローチャートである。
【図８】本開示の様々な態様による、割り振りおよびインジケータを受信するための方法の例を例示するフローチャートである。
【図９】本開示の様々な態様による、１つまたは複数のインジケータチャネルを伴う周波数および時間リソースの割り振りの例を例示する。
【図１０】本開示の様々な態様による、基地局およびＵＥを含むＭＩＭＯ通信システムの例を例示するブロック図である。
【詳細な説明】
【００２１】
[0030]  様々な態様がこれより図面を参照して説明される。以下の説明では、説明を目的として、１つまたは複数の態様の完全な理解を提供するために、多数の特定の詳細が記載されている。しかしながら、そのような（１つまたは複数の）態様が、これら特定の詳細なしに実践され得ることは、明らかであり得る。
【００２２】
[0031]  説明される特徴は、一般に、ワイヤレス通信における異なるサービスからの通信の多重化に関する。多重化が最小化され得ることを示すためにスペクトルリソースが使用され得る。例えば、多重化は、あるサービスを使用する通信のための対象リソースをスケジューリングするために制御データ領域を使用することに基づいて、達成され得る。多重化はまた、対象リソースがそのサービスからの通信を含むか（または他のサービスからの通信を含むか）示す別々のインジケータチャネルを介して実施され得る。
【００２３】
[0032]  一例では、第１のワイヤレスサービスのスロットが、１つまたは複数のＵＥへの第１のワイヤレスサービスのデータ通信のための対象リソースをスケジューリングする制御データ部分を含み得る。スロットはまた、スロット内の複数の部分スロットの各々に対応し、複数の部分スロットの各々が対象リソース上に第１のワイヤレス通信サービスのデータ（および／または第２のワイヤレス通信サービスのデータ）を含むかどうか示す１つまたは複数のインジケータを含み得る。従って、この例では、ＵＥが、関連制御データ部分に基づいて、第１のワイヤレスサービスのデータ通信のための対象リソースを有する第１のワイヤレスサービスのスロットの部分スロットを決定でき、次いで各部分スロットについてのインジケータに基づいて、対象リソースが第１のワイヤレスサービスのデータを含むかどうか決定できる。ＵＥはその結果として、（例えば、対象リソースが所与のＵＥについてスロットの全ての部分スロット上でスケジューリングされない場合には）必ずしもスロットの全ての部分スロットにおける全てのインジケータを復号する必要なしに、データの存在を示す対応するインジケータもまた有する対象リソースに対応する部分スロット中のデータを受信して復号できる。
【００２４】
[0033]  例えば、これは、アクセスポイントが、第１のワイヤレスサービスのデータを送信すること、および第１のワイヤレスサービスのデータを送信するために使用されるリソースにおいてパンクチャされ得る第２のワイヤレスサービスのデータを送信することを可能にできる。例えば、パンクチャすることは、第１のワイヤレスサービスのスケジューリングされたデータの代わりに、所与の時間の期間に第２のワイヤレスサービスのデータを送信することを指すことができる。アクセスポイントはその結果として、対応するインジケータによって、第１のワイヤレスサービスのデータを含むことを対象としたリソースが本当にそのようなデータを含むかどうか、またはそれらリソースが第１のワイヤレスサービスのデータを含まない（例えば、第２のワイヤレスサービスからのデータでパンクチャされる）かどうか、示すことができ、その場合には、第１のワイヤレスサービスのデータを予期しているＵＥは、示されたリソースを受信することおよび／または復号／処理することを控えることができる、および／または、示されたリソースの周りでレートマッチング（perform rate matching around）を行い得る。加えて、この例では、インジケータの復号が失敗した場合、対応する部分スロット（１つまたは複数）上の第１のワイヤレスサービスのデータの復号が行われないことがある（そして可能性のある復号エラーが避けられ得る）のに対して、上述した従来のプリエンプションベースの多重化において、インジケータチャネルの復号の失敗は、リソースがパンクチャされ得るにも関わらず対応する部分スロット（１つまたは複数）における第１のワイヤレスサービスのデータの復号を生じさせ得る。
【００２５】
[0034]  別の例において、多重化は、第１のワイヤレスサービスを第２のワイヤレスサービスの通信でパンクチャすることに関するパラメータのある特定の構成でＵＥおよびアクセスポイントを構成することに基づいて、達成され得る。例えば、各構成のためのパラメータは、その構成が使用されることを示すための割り振り識別子、スロット内のパンクチャするためのロケーション、第２のワイヤレスサービスの通信に関する他のパラメータ、例えば変調およびコーディングスキーム（ＭＣＳ）等、を含み得る。アクセスポイントは、割り振り識別子を使用してＵＥに第２のワイヤレスサービスのリソースを割り振ることができ、これが、第２のワイヤレスサービスを使用するＵＥに送信され得る、および／または他のＵＥ（例えば、第１のワイヤレスサービスを利用するＵＥも）にブロードキャストされ得る。第１のワイヤレスサービスを使用するＵＥは、第２のワイヤレスサービスを使用するＵＥのためのブロードキャストされた割り振り識別子に基づいて、いずれのリソースが第２のワイヤレスサービスの通信のために潜在的にパンクチャされるかを決定できる。加えて、この例において、アクセスポイントは、スロット内の各部分スロットについて、その部分スロットが第２のワイヤレスサービスの通信のためにパンクチャされるかどうか示すためのインジケータを送ることができるが、第１のワイヤレスサービスを使用するＵＥは、ブロードキャストされた割り振り識別子に基づいてスロット内のリソースのロケーションおよび／または他の情報を導出できるので、このインジケータは部分スロットのリソースがパンクチャされるかどうか示すための単一のビットまたは少数のビットであることができる。
【００２６】
[0035]  上述したいずれかの多重化の状況の特定の例において、第１のワイヤレスサービスは、エンハンストモバイルブロードバンド（ｅＭＢＢ：enhanced mobile broadband）であることができ、第２のワイヤレスサービスは、ウルトラリライアブル低レイテンシ通信（ＵＲＬＬＣ：ultra-reliable-low latency communications）であることができる。
【００２７】
[0036]  説明される特徴は、図１〜図１０を参照して以下でより詳細に提示される。
【００２８】
[0037]  本出願で使用される場合、「コンポーネント」、「モジュール」、「システム」等の用語は、ハードウェア、ファームウェア、ハードウェアとソフトウェアとの組合せ、ソフトウェア、または実行中のソフトウェアに限定されるわけではないがこれらのような、コンピュータ関連エンティティを含むように意図されている。例えば、コンポーネントは、限定するわけではないが、プロセッサ上で稼働中のプロセス、プロセッサ、オブジェクト、実行ファイル、実行スレッド、プログラム、および／またはコンピュータであり得る。例示として、コンピューティングデバイス上で稼働中のアプリケーションとそのコンピューティングデバイスの両方がコンポーネントであることができる。１つまたは複数のコンポーネントがプロセスおよび／または実行スレッド内に存在でき、１つのコンポーネントが１つのコンピュータに局在するおよび／または２つ以上のコンピュータ間で分配され得る。加えて、これらコンポーネントは、様々なデータ構造を記憶した様々なコンピュータ読み取り可能な媒体から実行できる。コンポーネントは、ローカルシステム、分配システムにおける別のコンポーネントと対話する１つのコンポーネントからのデータなどの、１つまたは複数のデータパケットを有する信号に従うような、ローカルおよび／またはリモートプロセスによって、および／またはこの信号によって、インターネットのようなネットワークを介して他のシステムと通信できる。
【００２９】
[0038]  ここに説明される技法は、ＣＤＭＡ、ＴＤＭＡ、ＦＤＭＡ、ＯＦＤＭＡ、ＳＣ−ＦＤＭＡ、および他のシステムのような様々なワイヤレス通信システムのために使用され得る。「システム」および「ネットワーク」という用語は、しばしば置換え可能に使用され得る。ＣＤＭＡシステムは、ＣＤＭＡ２０００、ユニバーサル地上波無線アクセス（ＵＴＲＡ）等のような無線技術を実施し得る。ＣＤＭＡ２０００は、ＩＳ−２０００、ＩＳ−９５、およびＩＳ−８５６規格をカバーする。ＩＳ−２０００リリース０およびＡは、通常ＣＤＭＡ２０００  １Ｘ、１Ｘ等と呼ばれる。ＩＳ−８５６（ＴＩＡ−８５６）は、通常ＣＤＭＡ２０００  １ｘＥＶ−ＤＯ、高レートパケットデータ（ＨＲＰＤ）等と呼ばれる。ＵＴＲＡは、ワイドバンドＣＤＭＡ（ＷＣＤＭＡ（登録商標））およびＣＤＭＡの他の変形を含む。ＴＤＭＡシステムは、（移動体通信のためのグローバルシステム（ＧＳＭ（登録商標）））のような無線技術を実施し得る。ＯＦＤＭＡシステムは、ウルトラモバイルブロードバンド（ＵＭＢ）、発展型ＵＴＲＡ（Ｅ−ＵＴＲＡ）、ＩＥＥＥ  ８０２．１１（Ｗｉ−Ｆｉ）、ＩＥＥＥ８０２．１６（ＷｉＭＡＸ）、ＩＥＥＥ８０２．２０、フラッシュ−ＯＦＤＭ（登録商標）等のような無線技術を実施し得る。ＵＴＲＡおよびＥ−ＵＴＲＡは、ユニバーサルモバイル電気通信システム（ＵＭＴＳ）の一部である。３ＧＰＰ（登録商標）ロングタームエボリューション（ＬＴＥ（登録商標））およびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ）と名付けられた組織からの文書に説明されている。ＣＤＭＡ２０００およびＵＭＢは、「第３世代パートナーシッププロジェクト２」（３ＧＰＰ２）と名付けられた組織からの文書に説明されている。ここに説明される技法は、上述のシステムおよび無線技術並びに他のシステムおよび無線技術のために使用され得、それは共有無線周波数スペクトルバンド上でのセルラ（例えば、ＬＴＥ）通信を含む。これらの技法は、ＬＴＥ／ＬＴＥ−Ａアプリケーションを超えて（例えば、５Ｇネットワークまたは他の次世代通信システムに）適用可能であるが、しかしながら、以下の説明は、例示のためにＬＴＥ／ＬＴＥ−Ａシステムを説明しており、以下の説明の大部分でＬＴＥ用語が使用される。
【００３０】
[0039]  以下の説明は、例を提供するものであり、特許請求の範囲に記載される適用範囲、適用可能性、または例を限定するものではない。本開示の範囲から逸脱することなく、説明される要素の配置および機能に変更が成され得る。様々な例は、必要に応じて様々なプロシージャまたはコンポーネントを省略、代用、または追加し得る。例えば、説明される方法は、説明されるものとは異なる順序で行われ得るもので、且つ様々なステップが追加、省略、または組み合わせられ得る。また、いくつかの例に関して説明される複数の特徴は、他の例では組み合わせられ得る。
【００３１】
[0040]  本出願では、いくつかの例を例示することで複数の態様および実施形態が説明されるが、当業者は、追加的な実施および使用事例が多くの異なる配置および状況で生じ得ることを理解することになる。ここに説明されるイノベーションは、多くの異なるプラットフォーム タイプ、デバイス、システム、形、サイズ、パッケージング配置にわたって実施され得る。例えば、実施形態および／または使用は、集積チップの実施形態および他の非モジュールコンポーネントベースのデバイス（例えば、エンドユーザデバイス、車両、通信デバイス、コンピューティングデバイス、産業機器、リテール／購買デバイス、医療デバイス、ＡＩによって使用可能なデバイス等）によって生じ得る。いくつか例は、複数の使用事例またはアプリケーションを具体的に向けられたり向けられなかったりするが、説明されたイノベーションの適応可能性の広い組合せが生じ得る。実施が、説明されたイノベーションの１つまたは複数の態様を組み込んだ、チップレベルまたはモジュラーコンポーネントから、非モジュラー、非チップレベル実施にかけての、およびさらに、アグリゲート、分配された、またはＯＥＭデバイスまたはシステム（aggregate, distributed, or OEM devices or systems）にかけての範囲にわたり得る。いくつかの実用的な設定では、説明される態様および特徴を組み込んだデバイスがまた、必然的に、特許請求されるおよび説明される実施形態の実施および実践のための追加的なコンポーネントおよび特徴を含み得る。例えば、ワイヤレス信号の送信および受信は、必然的に、アナログおよびデジタル目的のためのいくつかのコンポーネント（例えば、例として加算器（adders）／加算器（summers）、インタリーバ、プロセッサ（１つまたは複数）、バッファ、変調器、電力増幅器、ＲＦチェーン、アンテナを含むハードウェアコンポーネント）を含む。ここに説明されるイノベーションは、様々なサイズ、形および構成の、多種多様なデバイス、チップレベルコンポーネント、システム、分配された配置、エンドユーザデバイス等で実践され得ることが意図されている。
【００３２】
[0041]  図１は、本開示の様々な態様による、ワイヤレス通信システム１００の例を例示する。ワイヤレス通信システム１００は、１つまたは複数の基地局１０５、１つまたは複数のＵＥ１１５、およびコアネットワーク１３０を含み得る。コアネットワーク１３０は、ユーザ認証、アクセス許可、トラッキング、インターネットプロトコル（ＩＰ）接続性、および他のアクセス、ルーティングまたはモビリティ機能を提供し得る。基地局１０５は、バックホールリンク１３２（例えば、Ｓ１等）を通してコアネットワーク１３０とインタフェースし得る。基地局１０５は、ＵＥ１１５と通信するための無線構成およびスケジューリングを行い得るか、または基地局コントローラ（図示せず）の制御下で動作し得る。様々な例において、基地局１０５は、ワイヤードまたはワイヤレス通信リンクであり得るバックホールリンク１３４（例えば、Ｘ２等）上で互いに直接的にまたは間接的に（例えば、コアネットワーク１３０を通して）通信し得る。
【００３３】
[0042]  基地局１０５は、１つまたは複数の基地局アンテナを介してＵＥ１１５とワイヤレスに通信し得る。基地局１０５の各々は、それぞれの地理的なカバレッジエリア１１０に通信カバレッジを提供し得る。いくつかの例において、基地局１０５は、ネットワークエンティティ、トランシーバ基地局、無線基地局、アクセスポイント、無線トランシーバ、ノードＢ、ｅノードＢ（ｅＮＢ）、ホームノードＢ、ホームｅノードＢ、または何らかの他の好適な用語で呼ばれ得る。基地局１０５のための地理的なカバレッジエリア１１０は、カバレッジエリアの一部のみを構成するセクタ（図示せず）に分割され得る。ワイヤレス通信システム１００は、異なるタイプの基地局１０５（例えば、マクロまたはスモールセル基地局）を含み得る。異なる技術についてオーバーラップしている地理的なカバレッジエリア１１０が存在し得る。
【００３４】
[0043]  いくつかの例において、ワイヤレス通信システム１００は、ロングタームエボリューション（ＬＴＥ）またはＬＴＥアドバンスト（ＬＴＥ−Ａ）ネットワークであり得るか、またはそれを含み得る。ワイヤレス通信システム１００はまた、５Ｇワイヤレス通信ネットワークのような次世代ネットワークであり得る。ＬＴＥ／ＬＴＥ−Ａネットワークにおいて、発展型ノードＢ（ｅＮＢ）、ｇＮＢ等の用語は一般に基地局１０５を説明するために使用され得、一方でＵＥという用語は一般にＵＥ１１５を説明するために使用され得る。ワイヤレス通信システム１００は、異なるタイプのｅＮＢが様々な地理的領域にカバレッジを提供する異種のＬＴＥ／ＬＴＥ−Ａネットワークであり得る。例えば、各ｅＮＢまたは基地局１０５は、マクロセル、スモールセル、または他のタイプのセルに通信カバレッジを提供し得る。「セル」という用語は、文脈に応じて、基地局、基地局に関連するキャリアまたはコンポーネントキャリア、あるいは基地局またはキャリアのカバレッジエリア（例えば、セクタ等）を説明するために使用され得る３ＧＰＰ用語である。
【００３５】
[0044]  マクロセルは、比較的広い地理的エリア（例えば、半径数キロメートル）をカバーし得、ネットワークプロバイダにサービス加入しているＵＥ１１５による無制限のアクセスを可能にし得る。
【００３６】
[0045]  スモールセルは、マクロセルと同じまたは異なる（例えば、ライセンス、アンライセンス等の）周波数バンドで動作し得る、マクロセルと比較してより低い電力の基地局を含み得る。スモールセルは、様々な例に従って、ピコセル、フェムトセルおよびマイクロセルを含み得る。例えば、ピコセルは、狭い地理的エリアをカバーし得、ネットワークプロバイダにサービス加入しているＵＥ１１５による無制限のアクセスを可能にし得る。フェムトセルはまた、狭い地理的エリア（例えば、住居）をカバーし得、フェムトセルと関連のあるＵＥ１１５（例えば、クローズド加入者グループ（ＣＳＧ）内のＵＥ１１５、住居の中にいるユーザのためのＵＥ１１５等）による制限付きのアクセスを提供し得る。マクロセルのためのｅＮＢは、マクロｅＮＢ、ｇＮＢ等と呼ばれ得る。スモールセルのためのｅＮＢは、スモールセルｅＮＢ、ピコｅＮＢ、フェムトｅＮＢまたはホームｅＮＢと呼ばれ得る。ｅＮＢは、１つのまたは複数（例えば、２つ、３つ、４つ等）のセル（例えば、コンポーネントキャリア）をサポートし得る。
【００３７】
[0046]  様々な開示された例のうちのいくつかに順応し得る通信ネットワークは、レイヤードプロトコルスタックに従って動作するパケットベースのネットワークであり得、ユーザプレーンにおけるデータは、ＩＰに基づき得る。パケットデータコンバージェンスプロトコル（ＰＤＣＰ）レイヤは、ＩＰパケットのヘッダ圧縮、暗号化、完全性保護等を提供できる。無線リンク制御（ＲＬＣ）レイヤは、論理チャネル上で通信するために、パケットセグメンテーションおよびリアセンブリを行い得る。ＭＡＣレイヤは、優先処理（priority handling）、およびトランスポートチャネルへの論理チャネルの多重化を行い得る。ＭＡＣレイヤはまた、リンク効率を改善するためのＭＡＣレイヤにおける再送信を提供するために、ＨＡＲＱを使用し得る。制御プレーンにおいて、無線リソース制御（ＲＲＣ）プロトコルレイヤは、ＵＥ１１５と基地局１０５との間のＲＲＣ接続の確立、構成および管理を提供し得る。ＲＲＣプロトコルレイヤはまた、ユーザプレーンのデータのための無線ベアラをサポートするコアネットワーク１３０のために使用され得る。物理（ＰＨＹ）レイヤにおいて、トランスポートチャネルは、物理チャネルにマッピングされ得る。
【００３８】
[0047]  ＵＥ１１５は、ワイヤレス通信システム１００全体に分散され得、各ＵＥ１１５は、固定式またはモバイルであり得る。ＵＥ１１５はまた、当業者によって、モバイル局、加入者局、モバイルユニット、加入者ユニット、ワイヤレスユニット、遠隔ユニット、モバイルデバイス、ワイヤレスデバイス、ワイヤレス通信デバイス、遠隔デバイス、モバイル加入者局、アクセス端末、モバイル端末、ワイヤレス端末、遠隔端末、ハンドセット、ユーザエージェント、モバイルクライアント、クライアント、または何らかの他の好適な用語でも呼ばれ得るかまたはそれらを含み得る。ＵＥ１１５は、セルラフォン、携帯情報端末（ＰＤＡ）、ワイヤレスモデム、ワイヤレス通信デバイス、ハンドヘルドデバイス、タブレットコンピュータ、ラップトップコンピュータ、コードレス電話、ワイヤレスローカルループ（ＷＬＬ）局、エンタテイメントデバイス、乗物用コンポーネント、または同様のものであり得る。ＵＥは、マクロｅＮＢ、スモールセルｅＮＢ、リレイ基地局等を含む様々なタイプの基地局およびネットワーク装置と通信することが可能であり得る。
【００３９】
[0048]  ワイヤレス通信システム１００に示される通信リンク１２５は、ＵＥ１１５から基地局１０５へのアップリンク（ＵＬ）送信、または基地局１０５からＵＥ１１５へのダウンリンク（ＤＬ）送信を搬送し得る。ダウンリンク送信はフォワードリンク送信とも呼ばれ得、一方でアップリンク送信はリバースリンク送信とも呼ばれ得る。各通信リンク１２５は、１つまたは複数のキャリアを含み得、ここで、各キャリアは、上述した様々な無線技術に従って変調されたマルチプルなサブキャリア（例えば、異なる周波数の波形信号）から構成される信号であり得る。各変調信号は、異なるサブキャリア上で送られ得、制御情報（例えば、基準信号、制御チャネル等）、オーバヘッド情報、ユーザデータ等を搬送し得る。通信リンク１２５は、（例えば、ペアのスペクトルリソースを使用した）周波数分割複信（ＦＤＤ）、または（例えば、ペアになっていないスペクトルリソースを使用した）時分割複信（ＴＤＤ）動作を使用して、双方向通信を送信し得る。ＦＤＤのためのフレーム構造（例えば、フレーム構造タイプ１）およびＴＤＤのためのフレーム構造（例えば、フレーム構造タイプ２）が定義され得る。
【００４０】
[0049]  ワイヤレス通信システム１００の態様において、基地局１０５またはＵＥ１１５は、基地局１０５とＵＥ１１５との間の通信品質および信頼性を改善するためにアンテナダイバーシティスキームを用いるためのマルチプルなアンテナを含み得る。追加的に、または代替的に、基地局１０５またはＵＥ１１５は、同じまたは異なるコード化されたデータを搬送するマルチプルな空間レイヤを送信するためにマルチパス環境を活用し得る、多入力多出力（ＭＩＭＯ）技法を用い得る。
【００４１】
[0050]  ワイヤレス通信システム１００は、マルチプルなセルまたはキャリア上での動作、つまりキャリアアグリゲーション（ＣＡ）またはマルチキャリア動作と称され得る特徴を、サポートし得る。キャリアはまた、コンポーネントキャリア（ＣＣ）、レイヤ、チャネル等とも称され得る。「キャリア」、「コンポーネントキャリア」、「セル」および「チャネル」という用語は、ここで置換え可能に使用され得る。ＵＥ１１５は、キャリアアグリゲーションのために複数のダウンリンクＣＣおよび１つまたは複数のアップリンクＣＣで構成され得る。キャリアアグリゲーションは、ＦＤＤコンポーネントキャリアとＴＤＤコンポーネントキャリアとの両方で使用され得る。
【００４２】
[0051]  一例において、基地局１０５は、１つまたは複数のワイヤレスサービスを使用したＵＥ１１５とのワイヤレス通信を容易にするために１つまたは複数のＵＥ１１５にリソースをスケジューリングするためのスケジューリングコンポーネント２４０を含み得、ＵＥ１１５は、リソーススケジューリングを受信し、それに応じてそれらリソース上で基地局１０５と通信するための通信コンポーネント３４０を含み得る。スケジューリングコンポーネント２４０は例えば、第１のワイヤレスサービスを使用した通信を対象としたリソースに関する支援データを送信するように構成され得る。支援データは、本明細書においてさらに説明されるように、第１のワイヤレスサービスに割り振られたリソースを示す制御データ、第１のワイヤレスサービスに割り振られたリソース中で場合によってはパンクチャされる第２のワイヤレスサービスに関するリソースの割り振り情報、リソースが第１のワイヤレスサービスの通信のために使用されるか否かを指定する１つまたは複数のインジケータ、リソースが第２のワイヤレスサービスの通信のためにパンクチャされるか否かを指定する１つまたは複数のインジケータ等を含み得る。
【００４３】
[0052]  一例において、通信コンポーネント３４０は次いで、第１のワイヤレスサービスを使用した通信のために割り振られたリソースを決定するための支援データを受信できる。通信コンポーネント３４０はまた、インジケータに基づいて、リソースが第１のワイヤレスサービスのデータを含むかどうかを検証し得る。これにより、他のワイヤレスサービスからの通信に対応し得る第１のワイヤレスサービスの全時間インスタンスをＵＥ１１５がチェックすることを必要とせずに、基地局１０５が複数のワイヤレスサービスについてのデータを送信することが可能になる。むしろ、ＵＥ１１５は、（例えば、時間インスタンスについての関連インジケータに基づいて）制御データに割り当てられた対象リソースに対応する時間インスタンスをチェックできる。別の例において、通信コンポーネント３４０は、第１のワイヤレスサービスのためのリソースのうちのいずれが、第２のワイヤレスサービスの通信を送信するためにパンクチャされ得るのかを決定するための支援データを受信できる。この例において、通信コンポーネント３４０はまた、インジケータに基づいてリソースがパンクチャされるかどうかを検証し得る。これにより同様に、スロットの一部がパンクチャされるリソースを含むかどうかを単に示すことができるより小さいインジケータをＵＥ１１５がチェックすることを可能にしつつ、基地局１０５が複数のワイヤレスサービスのためのデータを送信することが可能となる。より小さいインジケータが、スロットの一部がパンクチャされるリソースを含むと示す場合、ＵＥ１１５は、支援データに基づいて知られているパンクチャされるリソースの周りで通信を復号できる。
【００４４】
[0053]  これより図２〜図１０に移って、ここに説明されるアクションまたは動作を行い得る１つまたは複数の方法および１つまたは複数のコンポーネントを参照して複数の態様が示され、ここで破線の態様はオプションであり得る。図４〜図５および図７〜図８において以下で説明される動作は、特定の順序でおよび／または例示的なコンポーネントによって行われるように提示されるが、これらアクションの順序およびこれらアクションを行うコンポーネントは、実施に応じて変わり得ることは理解されるべきである。また、以下のアクション、機能、および／または説明されるコンポーネントが、特別にプログラムされたプロセッサ、特別にプログラムされたソフトウェアまたはコンピュータ読み取り可能な媒体を実行するプロセッサによって、または説明されるアクションまたは機能を行うことが可能なソフトウェアコンポーネントおよび／またはハードウェアコンポーネントの任意の他の組合せによって、行われ得ることが理解されるべきである。
【００４５】
[0054]  図２に関して、通信リンク１２５を介して基地局１０５と通信している複数のＵＥ１１５を有するワイヤレス通信システムの一部を含むブロック図２００が示され、ここで基地局１０５はまたネットワーク２１０と通信可能に結合される。ＵＥ１１５は、第１のワイヤレスサービスのための支援データを受信するように構成された、本開示で説明されるＵＥの例であり得、それは、対象リソースをスケジューリングする制御データ、または別のＵＥに割り振られた第２のワイヤレスサービスに関する割り振り識別子を、対象リソースが第１のワイヤレスサービスのデータを含むかどうかについてのインジケータ、スロットの一部が第２のワイヤレスサービスのためにパンクチャされるリソースを含むかどうかについてのインジケータ等と共に、含み得る。また、基地局１０５は、上述したインジケータおよび／または支援情報を送信するように構成された、本開示で説明される基地局（例えば、ｅＮＢ、ｇＮＢ等）の例であり得る。
【００４６】
[0055]  一態様において、図２における基地局は、本開示に提示される機能、方法（例えば、図４の方法４００、図７の方法７００）等を行うためにスケジューリングコンポーネント２４０と組み合わせて動作し得る１つまたは複数のプロセッサ２０５および／またはメモリ２０２を含み得る。本開示によれば、スケジューリングコンポーネント２４０は、少なくとも第１のワイヤレスサービスに対応する支援データを生成および／または送信するための支援データ生成コンポーネント２４２を含み得、これは、第１のワイヤレスサービスのためのデータがその上で１つまたは複数のＵＥ１１５に／から通信されることが意図された（intended to be communicated）、対象リソース（intended resources）を示す制御データ、および／または、１つまたは複数の他のＵＥに送信される、第１のワイヤレスサービスのリソースをパンクチャし得る第２のワイヤレスサービスのリソースを割り振ることに関する割り振り識別子を含み得る。スケジューリングコンポーネント２４０はまた、対象リソースが第１のワイヤレスサービスのためのデータを含むかどうかのインジケータ、またはスロットの一部に関連するリソースが第２のワイヤレスサービスの通信のためにパンクチャされるかどうかのインジケータを生成および／または送信するためのインジケータ生成コンポーネント２４４を含み得る。
【００４７】
[0056]  １つまたは複数のプロセッサ２０５は、１つまたは複数のモデムプロセッサを使用するモデム２２０を含み得る。スケジューリングコンポーネント２４０に関する様々な機能および／またはこれらのサブコンポーネントは、モデム２２０および／またはプロセッサ２０５に含まれ得、一態様において、単一のプロセッサによって実行されることができ、一方で他の態様において、それら機能のうちの異なるものは、２つ以上の異なるプロセッサの組合せによって実行されることができる。例えば、一態様において、１つまたは複数のプロセッサ２０５は、モデムプロセッサ、またはベースバンドプロセッサ、またはデジタルシグナルプロセッサ、または送信プロセッサ、またはトランシーバ２７０に関連するトランシーバプロセッサ、またはシステムオンチップ（ＳｏＣ）のいずれか、またはこれらの任意の組合せも含み得る。特に、１つまたは複数のプロセッサ２０５は、スケジューリングコンポーネント２４０に含まれる機能およびコンポーネントを実行し得る。
【００４８】
[0057]  いくつかの例において、スケジューリングコンポーネント２４０およびサブコンポーネントの各々は、ハードウェア、ファームウェア、および／またはソフトウェアを備え得、（例えば、以下に説明されるメモリ２０２のようなコンピュータ読み取り可能な記憶媒体等の）メモリに記憶された命令を遂行またはコードを実行するように構成され得る。また、一態様において、図２における基地局１０５は、例えばＵＥ１１５への無線送信を送信するおよび受信するためのトランシーバ２７０および無線周波数（ＲＦ）フロントエンド２９０を含み得る。トランシーバ２７０は、ＵＥ１１５へのスケジューリングコンポーネント２４０によって生成される信号を送信するまたはそれのための信号を受信するためにモデム２２０と連係し得る。ＲＦフロントエンド２９０は、１つまたは複数のアンテナ２７３と通信可能に結合され得、アップリンクチャネルおよびダウンリンクチャネル上でＲＦ信号を送信および受信するための１つまたは複数のフィルタ２９３、１つまたは複数の増幅器（例えば、電力増幅器（ＰＡ）２９４および／または低雑音増幅器２９１）、および１つまたは複数のスイッチ２９２を含むことができる。一態様において、ＲＦフロントエンド２９０のコンポーネントは、トランシーバ２７０と通信可能に結合され得る。トランシーバ２７０は、プロセッサ２０５およびモデム２２０のうちの１つまたは複数と通信可能に結合され得る。
【００４９】
[0058]  トランシーバ２７０は、ＲＦフロントエンド２９０を介して、アンテナ２７３を通してワイヤレス信号を受信する（例えば、受信機（ＲＸ）無線器２８０を介して）および送信する（例えば、送信機（ＴＸ）無線器２７５を介して）ように構成され得る。一態様において、トランシーバ２７０は、基地局１０５が例えばＵＥ１１５と通信できるように、特定の周波数で動作するように調整され得る。一態様において、例えば、モデム２２０は、基地局１０５の構成およびモデム２２０によって使用される通信プロトコルに基づいて、特定の周波数および電力レベルで動作するようにトランシーバ２７０を構成できる。
【００５０】
[0059]  図２における基地局１０５はさらに、例えば、ここで使用されるデータおよび／またはローカルバージョンのアプリケーションまたはスケジューリングコンポーネント２４０および／またはそれのサブコンポーネントのうちの１つまたは複数であってプロセッサ２０５によって実行されているものを記憶するためのメモリ２０２を含み得る。メモリ２０２は、ランダムアクセスメモリ（ＲＡＭ）、読み取り専用メモリ（ＲＯＭ）、テープ、磁気ディスク、光ディスク、揮発性メモリ、不揮発性メモリ、およびこれらの任意の組合せのような、コンピュータまたはプロセッサ２０５によって使用可能な任意タイプのコンピュータ読み取り可能な媒体も含むことができる。一態様において、例えば、メモリ２０２は、スケジューリングコンポーネント２４０および／またはそれのサブコンポーネントのうちの１つまたは複数を定義する１つまたは複数のコンピュータ実行可能なコードを記憶するコンピュータ読み取り可能な記憶媒体であり得る。追加的に、または代替的に、基地局１０５は、ＲＦフロントエンド２９０、トランシーバ２７４、メモリ２０２、またはプロセッサ２０５のうちの１つまたは複数を通信可能に結合するための、および基地局１０５のコンポーネントおよび／またはサブコンポーネントの各々間でシグナリング情報を交換するためのバス２１１を含み得る。
【００５１】
[0060]  一態様において、プロセッサ（１つまたは複数）２０５は、図１０における基地局に関連して説明されるプロセッサのうちの１つまたは複数に対応し得る。同様に、メモリ２０２は、図１０における基地局に関連して説明されるメモリに対応し得る。
【００５２】
[0061]  図３に関して、通信リンク１２５を介して基地局１０５と通信している複数のＵＥ１１５を有するワイヤレス通信システムの一部を含むブロック図３００が示され、ここで基地局１０５はまたネットワーク２１０と通信可能に結合される。ＵＥ１１５は、第１のワイヤレスサービスのための支援データを受信するように構成された本開示で説明されたＵＥの例であり得、それは、対象リソースをスケジューリングする制御データ、または別のＵＥに割り振られた第２のワイヤレスサービスに関する割り振り識別子を、対象リソースが第１のワイヤレスサービスのデータを含むかどうかについてのインジケータ、スロットの一部が第２のワイヤレスサービスのためにパンクチャされるリソースを含むかどうかについてのインジケータ等と共に、含み得る。また、基地局１０５は、上述したインジケータおよび／または支援情報を送信するように構成された、本開示に説明される基地局（例えば、ｅＮＢ、ｇＮＢ等）の例であり得る。
【００５３】
[0062]  一態様において、図３におけるＵＥ１１５は、本開示に提示された機能、方法（例えば、図５の方法５００、図８の方法８００）等を行うために通信コンポーネント３４０と組み合わせて動作し得る１つまたは複数のプロセッサ３０５および／またはメモリ３０２を含み得る。本開示によれば、通信コンポーネント３４０は、基地局１０５からの支援データを受信および／または処理するための支援データ処理コンポーネント３４２を含み得、ここで支援データは、第１のワイヤレスサービスデータ通信のための対象リソースを示す制御データ、または第２のワイヤレスサービスのために１つまたは複数の他のＵＥに割り当てられる割り振り識別子を含み得る。通信コンポーネント３４０はまた、対象リソースが第１のワイヤレスサービスのデータ（例えば、および／または１つまたは複数の他のワイヤレスサービスからのデータ）を含むかどうか示す、基地局１０５からのインジケーション、または第１のワイヤレスサービスのためのスロットの一部が第２のワイヤレスサービスを使用して通信するためにパンクチャされるリソースを含むかどうか示す、基地局１０５からのインジケーションを処理するためのインジケータ処理コンポーネント３４４を含み得る。
【００５４】
[0063]  １つまたは複数のプロセッサ３０５は、１つまたは複数のモデムプロセッサを使用するモデム３２０を含み得る。通信コンポーネント３４０および／またはそれのサブコンポーネントに関する様々な機能は、モデム３２０および／またはプロセッサ３０５に含まれ得、一態様において、単一のプロセッサによって実行され得る一方で、他の態様において、それら機能のうちの異なるものが、２つ以上の異なるプロセッサの組合せによって実行され得る。例えば、一態様において、１つまたは複数のプロセッサ３０５は、モデムプロセッサ、またはベースバンドプロセッサ、またはデジタルシグナルプロセッサ、または送信プロセッサ、またはトランシーバ３７０に関連するトランシーバプロセッサ、またはシステムオンチップ（ＳｏＣ）のいずれか、またはこれらの任意の組合せも含み得る。特に、１つまたは複数のプロセッサ３０５は、通信コンポーネント３４０に含まれる機能およびコンポーネントを実行し得る。
【００５５】
[0064]  いくつかの例において、通信コンポーネント３４０およびサブコンポーネントの各々は、ハードウェア、ファームウェア、および／またはソフトウェアを備え得、（例えば、以下に説明されるメモリ３０２のようなコンピュータ読み取り可能な記憶媒体等の）メモリに記憶された命令を遂行するまたはコードを実行するように構成され得る。また、一態様において、図３におけるＵＥ１１５は、例えば基地局１０５への無線送信を送信するおよび受信するためのトランシーバ３７０およびＲＦフロントエンド３９０を含み得る。トランシーバ３７０は、通信コンポーネント３４０によって受け取られるパケットを含む信号を受信するためにモデム３２０と連係し得る。ＲＦフロントエンド３９０は、１つまたは複数のアンテナ３７３と通信可能に結合され得、アップリンクチャネルおよびダウンリンクチャネル上でＲＦ信号を送信および受信するための、１つまたは複数のフィルタ３９３、１つまたは複数の増幅器（例えば、ＰＡ３９４および／またはＬＮＡ３９１）、および１つまたは複数のスイッチ３９２を含むことができる。一態様において、ＲＦフロントエンド３９０のコンポーネントは、トランシーバ３７０と通信可能に結合され得る。トランシーバ３７０は、プロセッサ３０５およびモデム３２０のうちの１つまたは複数と通信可能に結合され得る。
【００５６】
[0065]  トランシーバ３７０は、ＲＦフロントエンド３９０を介して、アンテナ３７３を通してワイヤレス信号を受信し（例えば、受信機（ＲＸ）無線器３８０を介して）、送信する（例えば、送信機（ＴＸ）無線器３７５を介して）ように構成され得る。一態様において、トランシーバ３７０は、ＵＥ１１５が例えば基地局１０５と通信できるように、特定の周波数で動作するように調整され得る。一態様において、例えば、モデム３２０は、ＵＥ１１５の構成およびモデム３２０によって使用される通信プロトコルに基づいて、特定の周波数および電力レベルで動作するようにトランシーバ３７０を構成できる。
【００５７】
[0066]  図３におけるＵＥ１１５はさらに、例えば、ここで使用されるデータおよび／またはローカルバージョンのアプリケーションまたは通信コンポーネント３４０および／またはそれのサブコンポーネントのうちの１つまたは複数であってプロセッサ３０５によって実行されているものを記憶するためのメモリ３０２を含み得る。メモリ３０２は、ＲＡＭ、ＲＯＭ、テープ、磁気ディスク、光ディスク、揮発性メモリ、不揮発性メモリ、およびこれらの任意の組合せのような、コンピュータまたはプロセッサ３０５によって使用可能ないかなるタイプのコンピュータ読み取り可能な媒体も含むことができる。一態様において、例えば、メモリ３０２は、通信コンポーネント３４０および／またはそれのサブコンポーネントのうちの１つまたは複数を定義する１つまたは複数のコンピュータ実行可能なコードを記憶するコンピュータ読み取り可能な記憶媒体であり得る。追加的に、または代替的に、ＵＥ１１５は、ＲＦフロントエンド３９０、トランシーバ３７４、メモリ３０２、またはプロセッサ３０５のうちの１つまたは複数を通信可能に結合するための、およびＵＥ１１５のコンポーネントおよび／またはサブコンポーネントの各々間でシグナリング情報を交換するためのバス３１１を含み得る。
【００５８】
[0067]  一態様において、プロセッサ（１つまたは複数）３０５は、図１０におけるＵＥに関連して説明されるプロセッサのうちの１つまたは複数に対応し得る。同様に、メモリ３０２は、図１０におけるＵＥに関連して説明されるメモリに対応し得る。
【００５９】
[0068]  図４は、第１のワイヤレスサービスのデータを通信するための対象リソースを示す制御データ、および／または第１のワイヤレスサービスのデータが対象リソース上で通信されるかどうかのインジケータを（例えば、基地局によって）送信するための方法４００の例のフローチャートを例示する。図５は、第１のワイヤレスサービスのデータを通信するための対象リソースを示す制御データ、および／または第１のワイヤレスサービスのデータが対象リソース上で通信されるかどうかのインジケータを（例えば、ＵＥによって）受信するための方法５００の例のフローチャートを例示する。方法４００および５００では、破線のボックスとして示されたブロックが、オプションのステップを表し得る。
【００６０】
[0069]  方法４００では、制御データが、ブロック４０２において、第１のワイヤレスサービスのスロットについて（例えば、基地局によって）送信され得、ここで制御データは、第１のワイヤレスサービスの通信を対象としたスロットのうちの１つまたは複数の部分スロットを示す。一態様では、例えば、プロセッサ（１つまたは複数）２０５、メモリ２０２、および／またはトランシーバ２７０と連携して、第１のワイヤレスサービスのスロットについての制御データを、支援データ生成コンポーネント２４２が生成し、スケジューリングコンポーネント２４０が送信できる。制御データは、第１のワイヤレスサービスの通信を対象としたスロットのうちの１つまたは複数の部分スロットを示すことができる。一例において、基地局１０５は、１つまたは複数の部分スロット中で第１のワイヤレスサービスの通信を最終的に送信しないことがあり、代わりに、第２のワイヤレスサービスの他の通信のために通信をパンクチャし得る。
【００６１】
[0070]  一例において、スケジューリングコンポーネント２４０は、例えばスロットの複数の部分スロットのうちの最初のものなどの、部分スロットにおいて制御データを送信できる。特定の例において、第１のワイヤレスサービスは、ｅＭＢＢサービスであることができ、基地局１０５は、関連ｅＭＢＢサービス通信をｅＭＢＢスロットにおいて送信し得、それは持続時間が０．５ミリ秒（ＭＳ）であり得る。一例において、これはｅＭＢＢサービスの送信時間間隔（ＴＴＩ）であることができる。基地局１０５はまた、説明されたように、ＵＲＬＬＣサービスのための通信を送信することが可能であり得、それは、部分スロット（例えば、ｅＭＢＢスロットの一部）において送信され得る、および／または異なるＴＴＩに基づいて送信され得る。例えば、ＵＲＬＬＣサービスは、ミニスロットとしても知られる部分スロットに関連し得、それは、ｅＭＢＢスロットより短い持続時間を有し得る（および／または、ｅＭＢＢスロットより短いＴＴＩに関連し得る）（例えば、０．０４２ｍｓ、ここで１２個のＵＲＬＬＣミニスロットがｅＭＢＢスロットに含まれる、０．１ｍｓ、ここで５個のＵＲＬＬＣミニスロットがｅＭＢＢスロットに含まれる、０．１２５ｍｓ、ここで４個のＵＲＬＬＣミニスロットがｅＭＢＢスロットに含まれる、等）。一例において、ｅＭＢＢスロットは、スロット内でｅＭＢＢ通信を送信するための直交周波数分割多重（ＯＦＤＭ）シンボルの集合を含むことができる（例えば、通常のサイクリックプリフィックスについては１４個のＯＦＤＭシンボル、または拡張されたサイクリックプリフィックスについては１２個のＯＦＤＭシンボル）。ｅＭＢＢスロットは、ｅＭＢＢ通信のためのサンプリングタイミング持続時間（例えば、送信時間間隔等）であり得る。ＵＲＬＬＣミニスロットは、整数個のＯＦＤＭシンボル（例えば、２、４、７等）を含み得る。加えて、ＵＲＬＬＣミニスロットは、（時間的に）ＯＦＤＭシンボル境界の細かさで（in the granularity of）ｅＭＢＢスロットにアラインすることがある（またはしないことがある）。従って、例えば、ＵＲＬＬＣミニスロットは、ｅＭＢＢスロット中でＯＦＤＭシンボルと同じまたは異なる時間において始まるように構成され得る、および／またはＯＦＤＭシンボルと同じまたは異なる持続時間の間持続し得る。ＵＲＬＬＣミニスロットは、ＵＲＬＬＣ通信のためのサンプリングタイミング持続時間（例えば、送信時間間隔等）であり得る。
【００６２】
[0071]  特定の例が図６に示され、それはｅＭＢＢスロット６０１においてｅＭＢＢサービスおよびＵＲＬＬＣサービスのためのデータを送信するための時間および周波数リソースの割り振り６００の例を例示する。この例において、基地局は、ｅＭＢＢスロット６０１の部分スロット６０４中でｅＭＢＢ制御チャネル６０２を送信できる。一例において、部分スロット６０４（および／またはｅＭＢＢスロット６０１中に示された他の部分スロット）は、ＵＲＬＬＣ部分スロットであることができる、またはＵＲＬＬＣ部分スロットと同様のサイズであることができる。ｅＭＢＢ制御チャネル６０２は、６１４、６１６、６１８、６２０に示された部分スロット６０６、６０８、６１０、６１２における周波数リソースを含む、ＵＥ１１５と（例えば、および／または他のＵＥと）ｅＭＢＢデータを通信するための対象リソースを示すことができる。一例において、部分スロット６０４中で制御データを送信することは、上述したｅＭＢＢおよびＵＲＬＬＣのスケジューリングベースの多重化に比べたとき、制御オーバヘッドおよびモニタリングの周期性を低減できる。一例において、制御データは、（例えば、再送信または新しいデータのための）１つまたは複数のインジケータ、対応する変調およびコーディングスキーム（ＭＣＳ）、ｅＭＢＢ通信のための対象リソースを示すスケジューリンググラント等を含み得る。また、所与のセットのリソースが基地局１０５によってサービス提供される複数のＵＥのための対象リソースとして示されるように、制御データは複数のＵＥに適用され得、且つ対象リソースはオーバーラップされ得る。
【００６３】
[0072]  方法５００では、制御データが、ブロック５０２において、第１のワイヤレスサービスのスロットについて（例えば、ＵＥによって）受信され得、ここで制御データは、第１のワイヤレスサービスの通信を対象としたスロットのうちの１つまたは複数の部分スロットを示す。一態様において、例えば、プロセッサ（１つまたは複数）３０５、メモリ３０２、および／またはトランシーバ３７０と連携して、第１のワイヤレスサービスの（例えば、に対応する）スロットについて制御データを、通信コンポーネント３４０が受信でき、支援データ処理コンポーネント３４２が処理できる。一例において、制御データは、方法４００におけるブロック４０２を参照して説明されたような、基地局１０５によって送信された制御データを含むことができる。説明されたように、通信コンポーネント３４０は、部分スロット（例えば、図６に示されたような第１の部分スロット６０４）において制御データを受信できる。一例において、ＵＥ１１５は、その結果として、第１のワイヤレスサービス通信がそれ上で通信される（例えば、基地局１０５から受信される）と予想されるリソースを決定できる。例えば、制御データのロケーション（例えば、ｅＭＢＢスロットの最初の部分スロット中のような）、スロット中の部分スロットの数またはロケーション、等のうちの少なくとも１つが、ＵＥ１１５によって知られていたり、そうでなければＵＥ１１５に対して構成されて、基地局１０５等からのブロードキャストデータにおいてＵＥ１１５によって受信されたりし得る。加えて、例えば、ＵＥ１１５は、説明されたように、対象リソース上でデータを受信するための割り当てられた対象リソースを、制御データに示された他の情報、例えばＭＣＳ、インジケータ等と共に決定できる。
【００６４】
[0073]  方法４００では、第１のワイヤレスサービスのデータが１つまたは複数の部分スロットのうちの少なくとも１つ上で送信されるかどうか示すインジケーションが、ブロック４０４において、制御データとは異なる時間において（例えば、基地局によって）送信され得る。一態様では、例えば、プロセッサ（１つまたは複数）２０５、メモリ２０２、および／またはトランシーバ２７０と連携して、第１のワイヤレスサービスのデータが１つまたは複数の部分スロットのうちの少なくとも１つ上で送信されるかどうか示すインジケータを、インジケータ生成コンポーネント２４４が生成でき、スケジューリングコンポーネント２４０が送信でき、そして制御データが送信されるのとは異なる時間においてそれを行い得る。例えば、スケジューリングコンポーネント２４０は、第１のワイヤレスサービスのためのスロットの異なる部分スロットにおいてインジケータを送信できる。一例では、ブロック４０４においてインジケータを送信する際に、複数のインジケータチャネルがスロットの複数の部分スロットの各々において（例えば、基地局によって）送信され得、ここで複数のインジケータチャネルの各々は、ブロック４０６における複数の部分スロットのそれぞれ１つに対応する。例えば、スケジューリングコンポーネント２４０は、（例えば、制御データがそれ上で送信されるスロットを除く）スロットの複数の部分スロットの各々に対応するインジケータチャネルにおいて複数のインジケータを送信でき、ここでインジケータチャネルは、対応する部分スロットにおいて送信され得る。
【００６５】
[0074]  図６における特定の例を参照すると、各部分スロット（例えば、部分スロット６０４以外の）は、関連インジケータチャネル６２２を有することができ、ここでインジケータチャネルは、部分スロットが第１のワイヤレスサービス（例えば、ｅＭＢＢ）のデータおよび／または別のワイヤレスサービス（例えば、ＵＲＬＬＣ）のデータを含むかどうか示すことができる。インジケータチャネルは、例えば、部分スロットの始まりにおいて周波数リソースの一部６２３において定義され得、ここで部分スロットにおける周波数リソースの残りの部分６２５は、ｅＭＢＢおよび／またはＵＲＬＬＣ通信のために使用され得る。部分スロット内のインジケータチャネルのための他の構成またはロケーションが使用され得る（例えば、部分スロットの終わり、部分スロットの中心のある部分、等）。
【００６６】
[0075]  例えば、インジケータチャネル（例えば、各インジケータチャネル）は、対応する部分スロットが第１のワイヤレスサービスのデータのみを含むか、または第２のワイヤレスサービスのデータを含むためにパンクチャされるかを指定する１ビットのインジケータを含むことができる。別の例において、インジケータは、第１のワイヤレスサービスのデータを含む部分スロット内の特定のリソース、および／または別のワイヤレスサービスのデータを含む（例えば、またはそうでなければ第１のワイヤレスサービスのデータを含まない）部分スロット内の特定のリソース、を指定できる。示された例において、部分スロット６２４および６２６は、ｅＭＢＢスロット中でパンクチャされたＵＲＬＬＣデータを含み得る。この例において、対応するインジケータチャネルは、部分スロット６２４、６２６がＵＲＬＬＣデータのためにパンクチャされることを示すことができる（および／またはパンクチャされた対応する部分スロット６２４、６２６における周波数リソースの一部を示すことができる）。一例において、対応するインジケータは、追加的にまたは代替的に、部分スロット６２４、６２６がｅＭＢＢデータを含まないこと（またはｅＭＢＢデータを含まない部分スロット６２４、６２６におけるリソースの一部）を示し得る。
【００６７】
[0076]  方法５００では、第１のワイヤレスサービスのデータが１つまたは複数の部分スロットのうちの少なくとも１つ上で送信されるかどうか示すインジケータは、ブロック５０４において、制御データとは異なる時間において（例えば、ＵＥによって）受信され得る。一態様では、例えば、プロセッサ（１つまたは複数）３０５、メモリ３０２、および／またはトランシーバ３７０と連携して、第１のワイヤレスサービスのデータが１つまたは複数の部分スロットのうちの少なくとも１つ上で送信されるかどうか示すインジケータを、通信コンポーネント３４０が受信でき、インジケータ処理コンポーネント３４４が処理できる。一例において、インジケータは、図６に示されるように、少なくとも１つの部分スロットに対応し得る。例えば、部分スロット６０６、６０８、６１０、６１２は、各々、ＵＥ１１５に割り当てられた対象リソースが第１のワイヤレスサービス（例えば、ｅＭＢＢ）からのデータを含むかどうか示すインジケータを伴ったインジケータチャネルを有することができる。例えば、インジケータのロケーション（例えば、部分スロットにおける周波数のある特定の部分中のような）は、ＵＥ１１５によって知られていたり、そうでなければＵＥ１１５に対して構成され、基地局１０５等からのブロードキャストデータにおいてＵＥ１１５によって受信されたりし得る。
【００６８】
[0077]  一例では、ブロック５０４においてインジケータを受信することにおいて、インジケータは、インジケータチャネルにおいて（例えば、ＵＥによって）受信され得、これは、ブロック５０６において複数の部分スロットの各々において送信され、複数の部分スロットのそれぞれ１つに対応する複数のインジケータチャネルのうちの１つである。例えば、１つまたは複数の部分スロット上の第１のワイヤレスサービスデータを受信および／または復号することを試みるか否かを決定するために、対象とされる第１のワイヤレスサービスのリソースを含むような、制御データに示される１つまたは複数の部分スロットの各々に対応するインジケータチャネル（例えば、インジケータチャネル６２２）を、インジケータ処理コンポーネント３４４が処理できる（および／または通信コンポーネント３４０が受信できる）。例えば、図６に関して、ＵＥ１１５は、（例えば、ＵＥ１１５のためのｅＭＢＢ制御チャネル６０２における制御データに基づいて）対象リソース６１４、６１６、６１８、６２０がそれ上で割り当てられる部分スロット６０６、６０８、６１０、６１２に対応するインジケータチャネルのようなインジケータチャネルのサブセットを受信および処理し得る。対応する部分スロットについてのインジケータチャネルが、部分スロットが第２のワイヤレスサービス通信のためにパンクチャされるリソースである、または、第２のワイヤレスサービス通信のためにパンクチャされるリソースを有すると示す場合、ＵＥ１１５は、第１のワイヤレスサービスの通信を復号する際に、そのスロット（または関連リソース）を含むことを控えることができる。
【００６９】
[0078]  説明されたように、一例において、インジケータチャネルは、対応する部分的なシンボルが第１のワイヤレスサービスのためのデータを含む、または別のワイヤレスサービスからのデータでパンクチャされることを示す１ビットのインジケータを含むことができる。別の例において、インジケータチャネルは、別のワイヤレスサービスからのデータでパンクチャされるまたは第１のワイヤレスサービスのためのデータを含む対応する部分的なシンボル内のリソースの１つまたは複数の部分を示すインジケータを含むことができる。一例において、ＵＥ１１５は、部分スロット６２４および／または６２６においても対象リソースを割り当てられている可能性があるが、対応するインジケータチャネルにおけるインジケーションに基づいて、部分スロット６２４および／または６２６上でデータを処理／受信しないことを決定できる。例えば、対応するインジケータチャネルは、部分スロット６２４および／または６２６がパンクチャされること、または対象リソースを含んでいる、対象リソースとオーバーラップしている等のリソースが部分スロット６２４および／または６２６内でパンクチャされること、および／または同様のことを示すことができる。
【００７０】
[0079]  方法４００では、第１のワイヤレスサービスのデータまたは第２のワイヤレスサービスのデータが、ブロック４０８において、インジケータに基づいて、１つまたは複数の部分スロットのうちの少なくとも１つにおけるリソース上で（例えば、基地局によって）送信され得る。一態様において、スケジューリングコンポーネント２４０は、例えば、プロセッサ（１つまたは複数）２０５、メモリ２０２、および／またはトランシーバ２７０と連携して、インジケータに基づいて、１つまたは複数の部分スロットのうちの少なくとも１つにおけるリソース上で第１のワイヤレスサービスのデータおよび／または第２のワイヤレスサービスのデータを送信できる。例えば、スケジューリングコンポーネント２４０は、（例えば、部分スロット６２４、６２６中のようなＵＲＬＬＣ等の）第２のワイヤレスサービスからのデータで１つまたは複数の部分スロットのうちの少なくとも１つにおけるリソースをパンクチャでき、ここで、対応するインジケータチャネルにおけるインジケータは、部分スロットが（例えば、少なくとも第１のワイヤレスサービスのためのスケジューリングされたリソースロケーションにおいて）第１のワイヤレスサービスのデータを含まないこと示す、または部分スロットがそうでなければ第２のワイヤレスサービスのデータを含むことを示す。別の例において、スケジューリングコンポーネント２４０は、第１のワイヤレスサービスのデータを１つまたは複数の部分スロットのうちの少なくとも１つにおけるリソースにおいて送信でき（例えば、部分スロット６０６、６０８、６１０、６１２中にあるようなｅＭＢＢ）、ここで対応するインジケータチャネルにおけるインジケータは、部分スロットが（例えば、少なくとも第１のワイヤレスサービスのためのスケジュールされたリソースロケーションにおいて）第１のワイヤレスサービスのデータを含むことを示す、または部分スロットがそうでなければ第２のワイヤレスサービスのためのデータでパンクチャされないことを示す。
【００７１】
[0080]  方法５００では、第１のワイヤレスサービスのデータが、ブロック５０８において、インジケータに少なくとも部分的に基づいて、１つまたは複数の部分スロットのうちの少なくとも１つ上で（例えば、ＵＥによって）復号され得る。一態様において、通信コンポーネント３４０は、例えば、プロセッサ（１つまたは複数）３０５、メモリ３０２、および／またはトランシーバ３７０と連携して、インジケータに少なくとも部分的に基づいて、１つまたは複数の部分スロットのうちの少なくとも１つ上の（例えば、からの）第１のワイヤレスサービスのデータを復号できる。例えば、説明されたように、通信コンポーネント３４０は、１つまたは複数の部分スロットのうちの少なくとも１つ上でデータを復号することを決定でき、ここで少なくとも１つのスロットに対応するインジケータチャネルにおけるインジケータは、少なくとも１つのスロットが第１のワイヤレスサービスのデータを含むこと（例えば、またはそうでなければ少なくとも１つのスロットが別のワイヤレスサービスのデータでパンクチャされないこと）を示す。また、１つの基準信号は、（例えば、スロット６０１における部分スロットまたはリソースの他の集合における）第１のワイヤレスサービスの所与のスロット上で基地局１０５によって送信され得る。この例において、通信コンポーネント３４０は、一例において、基準信号オーバヘッドを低減するために、スロット内のデータを復号するためにこの基準信号を使用できる。加えて、ブロック５０８におけるデータの復号は、受信されるデータが有効であることを確実にするための処理の一部として、データに対して周期的冗長検査を行うことを含み得る（例えば、それはインジケータチャネルが場合によっては復号に失敗する場合にエラーを緩和できる）。
【００７２】
[0081]  図７は、第２のワイヤレスサービスのデータを通信するために場合によってはパンクチャするためのリソースを示す割り振り識別子、および／または所与の部分スロットにおけるリソースがパンクチャされるかどうかのインジケータを（例えば、基地局によって）送信するための方法７００の例のフローチャートを例示する。図８は、第２のワイヤレスサービスのデータを通信するために場合によってはパンクチャするためのリソースを示す割り振り識別子、および／または所与の部分スロットにおけるリソースがパンクチャされるかどうかのインジケータを（例えば、ＵＥによって）受信するための方法８００の例のフローチャートを例示する。方法７００および８００では、破線のボックスとして示されたブロックが、オプションのステップを表し得る。
【００７３】
[0082]  方法７００では、オプションとしてブロック７０２において、割り振り識別子および関連通信パラメータの構成が、送信され得る。一態様では、例えば、プロセッサ（１つまたは複数）２０５、メモリ２０２、および／またはトランシーバ２７０と連携して、割り振り識別子および関連通信パラメータの構成を、支援データ生成コンポーネント２４２が生成でき、スケジューリングコンポーネント２４０が送信できる。例えば、構成は、説明されたような、第２のワイヤレスサービス（例えば、ＵＲＬＬＣ）についての割り振り識別子、関連通信パラメータ、例えば、割り振り識別子が割り当てられるときに第２のワイヤレスサービスのための通信で第１のワイヤレスサービス（例えば、ｅＭＢＢ）リソースロケーションをパンクチャするためのリソースロケーション、第２のワイヤレスサービス通信を送信するための変調およびコーディングスキーム（ＭＣＳ）等を示す表または別の構造を含み得る。一例において、スケジューリングコンポーネント２４０は、例えば、第１のワイヤレスサービスの制御チャネル（例えば、物理ダウンリンク制御チャネル（ＰＤＣＣＨ）等）を使用して、無線リソース制御（ＲＲＣ）または他のより上位のレイヤシグナリングを使用して、構成を送信できる。この例では、第１のワイヤレスサービスを使用するＵＥおよび／または第２のワイヤレスサービスを使用するＵＥが、制御チャネルを受信および処理できる。
【００７４】
[0083]  方法８００では、オプションとしてブロック８０２において、割り振り識別子および関連通信パラメータの構成が受信され得る。一態様において、例えば、プロセッサ（１つまたは複数）３０５、メモリ３０２、および／またはトランシーバ３７０と連携して、割り振り識別子および関連通信パラメータの構成を、通信コンポーネント３４０が受信でき、支援データ処理コンポーネント３４２が処理できる。説明されたように、例えば、通信コンポーネント３４０は、例えば制御チャネル上で、ＲＲＣまたはより上位のレイヤシグナリングを介して、構成を受信できる。他の例において、通信コンポーネント３４０は、追加的にまたは代替的に、ＵＥ１１５のメモリ３０２から構成を取得し得るか、または別のネットワークエンティティから受信される構成を取得し得る。いずれの場合も、別の例では、割り振り識別子および／または関連リソースロケーション、ＭＣＳ等の異なるリストを示すことができる前のまたはデフォルトの構成のオーバーライドを、（例えば、ＲＲＣ、ＰＤＣＣＨ等上で）スケジューリングコンポーネント２４０が送信し得、通信コンポーネント３４０が受信し得る。
【００７５】
[0084]  より具体的には、例えば、割り振り識別子は、（例えば、第２のワイヤレスサービスの１つまたは複数の時間区分、例えばＵＲＬＬＣ通信のための部分スロット、１つまたは複数の部分スロット内のリソースブロック、１つまたは複数の部分スロット内のサブバンド等における）リソースロケーションを示すために使用され得、ここで第１のワイヤレスサービスの通信は、第２のワイヤレスサービスの通信でパンクチャされ得る。割り振り識別子は、追加的に、例えば、ＭＣＳ等のような第２のワイヤレスサービス通信に関する他のパラメータを示し得る。加えて、割り振り識別子は、１〜Ｎまでのインデックスであることができ、ここでＮは、いくつかの可能性のある構成であることができる。例えば、構成は、Ｎ個のエントリを有する表に規定され得、ここで各エントリは、第２のワイヤレスサービス通信に関する割り振り識別子、スロット中の１つまたは複数のリソースロケーション、ＭＣＳ等を含むことができる。例えば、リソースロケーションは、リソースロケーションにおいて第２のワイヤレスサービス通信のために第１のワイヤレスサービススロットを場合によってはパンクチャするための、スロット内の部分スロットのインデックス、部分スロット内の、例えばサブキャリア、サブバンド、リソースブロックの集合、および／または同様のもの、のインジケーションを含み得る。
【００７６】
[0085]  従って、第２のワイヤレスサービスを使用するＵＥは、第２のワイヤレスサービスを介して基地局１０５とそれ上で場合によっては通信するリソースを決定するための割り振り識別子を割り当てられることができる。加えて、この点について、第１のワイヤレスサービスを使用するＵＥもまた、第２のワイヤレスサービスを使用して基地局１０５と通信する１つまたは複数のＵＥに割り当てられる１つまたは複数の割り振り識別子を受信できる。加えて、この例において、１つまたは複数のＵＥは、メモリ３０２および／または基地局１０５から受信された構成（例えば、表）および１つまたは複数の割り振り識別子に基づいて、第２のワイヤレスサービスを使用した通信のための可能性のあるパンクチャロケーションを決定できる。
【００７７】
[0086]  例えば、割り振り識別子は、第２のワイヤレスサービスに関するデータを通信するために第１のワイヤレスサービスのリソースをパンクチャするための複数の構成のうちの１つに関し得る。一例では、複数の構成が、基地局１０５においておよびＵＥ１１５において定義され得、割り振り識別子を通信することで基地局１０５およびＵＥ１１５がリソースをパンクチャするために同じ構成パラメータを決定することが可能になるようにする。一例において、基地局１０５は、割り振り識別子に対する構成パラメータのマッピングを記憶し得、割り振り識別子を、第２のワイヤレスサービスを使用するＵＥに割り当て得る。この例において、基地局１０５は、割り当てられた割り振り識別子に関連する構成パラメータに基づいて、第２のワイヤレスサービスを使用するＵＥのための通信を構成し得る。これは、例えば、割り振り識別子に基づいて、例えば第２のワイヤレスサービスを使用するＵＥと通信するとき、関連ＭＣＳを使用して、割り振り識別子に対応するリソースロケーションにおいて第１のワイヤレスサービスのリソースをパンクチャすることを含み得る。一例において、基地局１０５は、（例えば、ブロック７０２において送信される構成等の）リソースロケーションへ割り振り識別子をマッピングする情報で、複数のＵＥ（例えば、第１のワイヤレスサービスを使用するＵＥおよび／または第２のワイヤレスサービスを使用するＵＥ）を構成し得る。別の例において、ＵＥ（１つまたは複数）１１５は、そうでなければ、説明されたように、そのような情報を、加入情報（例えば、ＵＥのメモリ中で）および／または同様のものに記憶し得る。いずれの場合も、第１のワイヤレスサービスを使用するＵＥ（１つまたは複数）は、第２のワイヤレスサービスを使用する１つまたは複数のＵＥについて受信された１つまたは複数の割り振り識別子に基づいてパンクチャされることになる可能性のあるリソースを決定できる。加えて、例えば、第２のワイヤレスサービスを使用するＵＥ（１つまたは複数）は、ＵＥ（１つまたは複数）に送信された割り振り識別子に基づいて、通信するためのリソースを決定し得る。
【００７８】
[0087]  方法７００では、割り振り識別子が、第２のワイヤレスサービスに関するリソース割り振りを示すために、第１のワイヤレスサービスを使用する１つまたは複数のＵＥに、ブロック７０４において、（例えば、基地局によって）送信され得る。一態様では、例えば、プロセッサ（１つまたは複数）２０５、メモリ２０２、および／またはトランシーバ２７０と連携して、および第１のワイヤレスサービスを使用する１つまたは複数のＵＥに対して、第２のワイヤレスサービスに関するリソース割り振りを示すための割り振り識別子を、支援データ生成コンポーネント２４２が生成でき、スケジューリングコンポーネント２４０が送信できる。例えば、支援データ生成コンポーネント２４２は、ＲＲＣまたは他のより上位のレイヤシグナリングを使用して１つまたは複数のＵＥに割り振り識別子を送信できる、および／または割り振り識別子を１つまたは複数のＵＥにブロードキャストし得る。例えば、１つまたは複数のＵＥは、第２のワイヤレスサービスのための割り振りを受信するためのＵＥ（例えば、ＵＲＬＬＣ  ＵＥ）を含むことができる、および第１のワイヤレスサービスを使用して（例えば基地局１０５と）通信する１つまたは複数の他のＵＥ（例えば、ｅＭＢＢ  ＵＥ）を含むことができる。基地局１０５はまた、基地局１０５が第１のワイヤレスサービスリソース内で第２のワイヤレスサービスを使用してＵＥとそれ上で場合によっては通信し得るリソースを示すために、第２のワイヤレスサービスを使用するＵＥに割り振り識別子または関連リソース割り振りを送信する。
【００７９】
[0088]  方法８００では、第２のワイヤレスサービスに関するリソース割り振りを示す割り振り識別子が、ブロック８０４において、アクセスポイントから（例えば、第１のワイヤレスサービスを使用するＵＥ通信によって）受信され得る。一態様では、例えば、プロセッサ（１つまたは複数）３０５、メモリ３０２、および／またはトランシーバ３７０と連携して、アクセスポイントからの割り振り識別子を、通信コンポーネント３４０が受信でき、支援データ処理コンポーネント３４２が処理でき、ここで割り振り識別子は、第２のワイヤレスサービスに関するリソース割り振りを示す。一例において、通信コンポーネント３４０は、基地局１０５からＲＲＣシグナリングを介して割り振り識別子を受信できる。一例では、基地局１０５が別のＵＥに（例えば、第２のワイヤレスサービスを使用するＵＥに）割り振り識別子を割り当てるとき、割り振り識別子を、基地局１０５が送信でき、ＵＥ１１５が受信できる。別の例では、例えば他のＵＥに基地局１０５によって割り当てられた割り振り識別子のリストを、ＵＥ１１５の構成の間に、基地局１０５が送信でき、ＵＥ１１５が受信し得る。別の例では、第２のワイヤレスサービスを使用するＵＥが、割り振り識別子を受信でき、ここでさらに説明されるように、基地局１０５がＵＥに第２のワイヤレス通信をそれ上で場合によっては送信し得るリソースロケーションを決定できる。
【００８０】
[0089]  方法７００では、１つまたは複数のインジケータが、ブロック７０６において、１つまたは複数のＵＥに（例えば、基地局によって）送信され得、ここで１つまたは複数のインジケータは、第１のワイヤレスサービスのスロットのうちの１つまたは複数の対応する部分スロットが第２のワイヤレスサービスの通信のためにパンクチャされるリソースを含むことを示す。一態様では、例えば、プロセッサ（１つまたは複数）２０５、メモリ２０２、および／またはトランシーバ２７０と連携して、および１つまたは複数のＵＥに対して、第１のワイヤレスサービスのスロットのうちの１つまたは複数の対応する部分スロットが第２のワイヤレスサービスの通信のためにパンクチャされるリソースを含むことを示す１つまたは複数のインジケータを、インジケータ生成コンポーネント２４４が生成でき、スケジューリングコンポーネント２４０が送信できる。一例において、１つまたは複数のインジケータは、各部分スロットにおけるインジケータチャネルに対応し得るもので、パンクチャされ得る割り振り識別子に対応するリソースロケーションが、対応する部分スロットにおいて実際にパンクチャされるかどうかを示す。１つまたは複数の割り当てられた割り振り識別子に対応する場合によってはパンクチャされるリソースが、第２のワイヤレスサービスのための通信で実際にパンクチャされることを示すための、インジケータの他の構成が可能であり得る。加えて、スケジューリングコンポーネント２４０は、同様に第２のワイヤレスサービスを使用して通信する複数のＵＥにインジケータを送信でき、よってこれらＵＥは、これらそれぞれの割り振り識別子に対応し得る部分スロット（１つまたは複数）におけるリソースロケーションを処理するか否かを決定できる。
【００８１】
[0090]  方法８００では、第１のワイヤレスサービスのスロットのうちの１つまたは複数の対応する部分スロットが第２のワイヤレスサービスの通信のためにパンクチャされるリソースを含むことを示す１つまたは複数のインジケータが、ブロック８０６において、アクセスポイント（例えば、基地局１０５）から（例えば、ＵＥ１１５によって）受信され得る。一態様では、例えば、プロセッサ（１つまたは複数）３０５、メモリ３０２、および／またはトランシーバ３７０と連携して、第１のワイヤレスサービスのスロットのうちの１つまたは複数の対応する部分スロットが第２のワイヤレスサービスの通信のためにパンクチャされるリソースを含むことを示す、アクセスポイントからの１つまたは複数のインジケータを、通信コンポーネント３４０が受信でき、インジケータ処理コンポーネント３４４が処理できる。これにより、ここでさらに説明されるようにＵＥ１１５がパンクチャされるリソースの周りで復号することを可能にできる。加えて、例えば、第２のワイヤレスサービスを使用するＵＥは、インジケータチャネルを受信し、（例えば、それの割り当てられた割り振り識別子に基づいて）関連リソースロケーションにおける第２のワイヤレスサービスの通信を受信および復号するために、第１のワイヤレスサービスに関するリソースへとパンクチャされる第２のワイヤレスサービスの通信を含むリソース（例えば、部分スロット）を決定できる。説明されたように、例えば、インジケータは、基地局１０５からの通信のインジケータチャネルまたは他の部分において受信され得る。
【００８２】
[0091]  特定の例が図９に示され、これがｅＭＢＢスロット９０１においてｅＭＢＢサービスおよびＵＲＬＬＣサービスのためのデータを送信するための時間および周波数リソースの割り振り９００の例を例示する。この例において、基地局はインジケータチャネルを送信でき、それは例えば、ｅＭＢＢスロット９０１内に定義された１つまたは複数の部分スロット９１２の始まりにおける周波数リソースの一部９２３に定義され得、ここで部分スロットにおける周波数リソースの残りの部分９２５は、ｅＭＢＢおよび／またはＵＲＬＬＣ通信のために使用され得る。部分スロット内のインジケータチャネルのための他の構成またはロケーションが使用され得る（例えば、部分スロットの終わり、部分スロットの中心のある部分等）。説明されたように、パンクチャされるリソースにおいて第２のワイヤレスサービスを使用して通信することに関する情報の大部分は、割り振り識別子に基づいて１つまたは複数のＵＥ１１５および基地局１０５によって知られることができるので、インジケータチャネルのペイロード（およびよってサイズ）は比較的小さい可能性がある。従って、パンクチャされるリソースを知らせるために使用される帯域幅の量は、ｅＭＢＢスロット９０１において減少され得、それによりｅＭＢＢスロット９０１におけるスループットの改善を可能にできる。例えば、インジケータチャネルは、第２のワイヤレスサービスのための通信で部分スロットにおける任意のリソースがパンクチャされるかどうか示すための１ビットを含むことができる（例えば、ｅＭＢＢスロット９０１の２つの部分スロットにおける周波数リソースの一部９２４のような、ＵＲＬＬＣ通信が例である）。別の例において、インジケータチャネルは、いずれの割り振り識別子が、対応する部分スロット中でパンクチャされるリソースを有するか（例えば、ここで所与の部分スロットは１つより多くの割り振り識別子のためにパンクチャされ得る）を（例えば、割り振り識別子インデックスによって）識別するために充分なビットを含み得る。
【００８３】
[0092]  方法７００では、オプションとしてブロック７０８において、第１のワイヤレスサービスのリソースが、第２のワイヤレスサービスの通信のために、割り振り識別子に対応する１つまたは複数のロケーションにおいてパンクチャされ得る。一態様において、スケジューリングコンポーネント２４０は、例えば、プロセッサ（１つまたは複数）２０５、メモリ２０２、および／またはトランシーバ２７０と連携して、第２のワイヤレスサービスの通信のために、割り振り識別子に対応する１つまたは複数のロケーションにおいて、第１のワイヤレスサービスのリソースをパンクチャできる。例えば、スケジューリングコンポーネント２４０は、第２のワイヤレスサービスを使用するＵＥに割り当てられた割り振り識別子に関連するリソースロケーションに対応するリソースにおいて、第２のワイヤレスサービスに関する通信の送信をスケジューリングできる。例えば、リソースロケーションは、スロット内（例えば、ｅＭＢＢスロット９０１内）の１つまたは複数の部分スロット、１つまたは複数の部分スロット内のリソースブロック、１つまたは複数の部分スロット内のサブバンド等に対応できる。
【００８４】
[0093]  方法７００では、オプションとしてブロック７１０において、第２のワイヤレスサービスの通信が、１つまたは複数の他のＵＥに、リソース上で送信され得、およびオプションとして、ブロック７１２において、第１のワイヤレスサービスに関するデータが、１つまたは複数のＵＥに、第２のワイヤレスサービスの通信のためにパンクチャされるリソース以外の、スロット中の１つまたは複数のリソース上で送信され得る。一態様において、スケジューリングコンポーネント２４０は、例えば、プロセッサ（１つまたは複数）２０５、メモリ２０２、および／またはトランシーバ２７０と連携して、１つまたは複数の他のＵＥに、リソース上で第２のワイヤレスサービスの通信を送信できる、および／または、１つまたは複数のＵＥに、ワイヤレスサービスの通信のためにパンクチャされるリソース以外のスロット中の１つまたは複数のリソース上で、第１のワイヤレスサービスに関するデータを送信できる。例えば、図９における特定の例を参照すると、スケジューリングコンポーネント２４０は、１つまたは複数の他のＵＥに、対応する部分スロット９１２および９１４における周波数リソース９２４におけるリソースロケーションにおいて、ＵＲＬＬＣ通信を、およびスロット９０１の残りの部分において１つまたは複数のＵＥにｅＭＢＢ通信を、送信できる。一例において、スケジューリングコンポーネント２４０はまた、他のＵＥのうちの１つまたは複数に割り当てられた割り振り識別子に関連するＭＣＳに基づいて、第２のワイヤレスサービス（例えば、ＵＲＬＬＣ）の通信を送信できる。加えて、一例において、第１のワイヤレスサービスおよび第２のワイヤレスサービスの通信を送信することは、それぞれ異なるＴＴＩ上で生じ得る。例えば、ここに説明されるように、第１のワイヤレスサービスは、スロットのＴＴＩ（a slot TTI）に基づき得、および第２のワイヤレスサービスは、部分スロットのＴＴＩ（a partial slot TTI）に基づき得る。
【００８５】
[0094]  方法８００では、少なくとも１つまたは複数の対応する部分スロット内でパンクチャされるリソースのロケーションが、ブロック８０８において、割り振り識別子に基づいて決定され得る。一態様において、通信コンポーネント３４０は、例えば、プロセッサ（１つまたは複数）３０５、メモリ３０２、および／またはトランシーバ３７０と連携して、割り振り識別子に基づいて、少なくとも１つまたは複数の対応する部分スロット内でパンクチャされるリソースのロケーションを決定できる。例えば、割り振り識別子は、第２のワイヤレスサービス（例えば、ＵＲＬＬＣ）のデータを通信するためにパンクチャされ得る第１のワイヤレスサービスのスロット（例えば、ｅＭＢＢスロット）内のある特定のリソースに関し得る。このように、説明されたように、通信コンポーネント３４０は、基地局１０５から受信された１つまたは複数の割り振り識別子に基づいて、第２のワイヤレスサービスを使用する１つまたは複数の他のＵＥへの通信のためにパンクチャされるリソースの集合を決定できる。加えて、通信コンポーネント３４０は、割り振り識別子に対応するように構成されるまたは知られている第１のワイヤレスサービスのスロット内の関連リソースロケーション（例えば、スロット内の部分スロットロケーション、部分スロット（１つまたは複数）内のある特定の周波数ロケーション−例えば、サブキャリア）の集合等）を決定できる。
【００８６】
[0095]  方法８００では、オプションとしてブロック８１０において、第１のワイヤレスサービスのデータが、１つまたは複数の対応する部分スロットを含むスロット上で、それらリソースのロケーションの周りで、復号され得る。一態様において、通信コンポーネント３４０は、例えば、プロセッサ（１つまたは複数）３０５、メモリ３０２、および／またはトランシーバ３７０と連携して、１つまたは複数の対応する部分スロットを含むスロット上で、第１のワイヤレスサービスのデータを、それらリソースのロケーションの周りで、復号でき、ここでＵＥ１１５は、基地局と通信するために第１のワイヤレスサービスを使用する。例えば、通信コンポーネント３４０は、データを復号する際にこれらロケーションにおけるリソースを廃棄できる。これは、第２のワイヤレスサービスを使用する他のＵＥについて受信された割り振り識別子（１つまたは複数）について定義されたロケーションにおけるリソースの周りで（例えば、それらを含まずに）レートマッチングを行うことを含み得、それについて対応する部分スロットのインジケータチャネルは割り振り識別子に関するリソースロケーションがパンクチャされることを示す。部分スロット９１２、９１４におけるインジケータチャネルが部分スロット９１２、９１４がパンクチャされるリソースを含むことを示す図９の特定の例において、通信コンポーネント３４０は、他のＵＥに割り当てられたある特定の割り振り識別子のために使用されるように構成されたまたは知られている部分スロットにおける周波数リソース９２４におけるリソースロケーションの周りでレートマッチングできる。
【００８７】
[0096]  方法８００では、オプションとしてブロック８１２において、第２のワイヤレスサービスのデータが、１つまたは複数の対応する部分スロット上で、リソースのロケーションから、復号され得る。一態様において、通信コンポーネント３４０は、例えば、プロセッサ（１つまたは複数）３０５、メモリ３０２、および／またはトランシーバ３７０と連携して、１つまたは複数の対応する部分スロット上で第２のワイヤレスサービスのデータを、リソースのロケーションから復号でき、ここでＵＥ１１５は、基地局と通信するために第２のワイヤレスサービスを使用する。この点について、第２のワイヤレスサービスを使用するＵＥは、関連割り振り識別子のための適切なインジケータを含まない１つまたは複数の部分スロットを復号することをスキップでき、それはＵＥについての処理リソースを節約できる。
【００８８】
[0097]  一例では、インジケータチャネルを使用することおよびインジケータチャネルでパンクチャされるものと示された部分スロットにおけるリソースをパンクチャすることにより、基地局１０５が、非周期的な方法で第２のワイヤレスサービスの通信を送信することを可能にでき、それは集中的なトラフィックプロファイル（bursty traffic profiles）のために有益であることができ、また、新しい送信の送信および／または再送信を、そのような送信のための区別されたリソースを必要とすることなく、可能にできる。従って、第１のワイヤレスサービスを使用するＵＥは、第２のワイヤレスサービスのためのリソースの周りで復号され得、それは、最小のオーバヘッド（例えば、前に送信された割り振り識別子および関連構成情報に依存するインジケータチャネルにおける１つまたは複数のビット）を使用して、および（例えば、インジケータチャネルを使用して）リアルタイムに近い状態で、パンクチャされるものと示され得る。
【００８９】
[0098]  図１０は、基地局１０５およびＵＥ１１５を含むＭＩＭＯ通信システム１０００のブロック図である。ＭＩＭＯ通信システム１０００は、図１を参照して説明されたワイヤレス通信システム１００の態様を例示し得る。基地局１０５は、図１、図２、および図３を参照して説明された基地局１０５の態様の例であり得る。基地局１０５は、アンテナ１０３４および１０３５を備え得、ＵＥ１１５は、アンテナ１０５２および１０５３を備え得る。ＭＩＭＯ通信システム１０００において、基地局１０５は、同じ時間において複数の通信リンク上でデータを送ることが可能であり得る。各通信リンクは、「レイヤ」と呼ばれ得、通信リンクの「ランク」は、通信のために使用されるレイヤの数を示し得る。例えば、基地局１０５が２つの「レイヤ」を送信する２ｘ２のＭＩＭＯ通信システムにおいて、基地局１０５とＵＥ１１５との間の通信リンクのランクは、２である。
【００９０】
[0099]  基地局１０５において、送信（Ｔｘ）プロセッサ１０２０はデータソースからデータを受け取り得る。送信プロセッサ１０２０はそのデータを処理し得る。送信プロセッサ１０２０はまた、制御シンボルまたは参照シンボルを生成し得る。送信ＭＩＭＯプロセッサ１０３０は、該当する場合、データシンボル、制御シンボル、または参照シンボルに対して空間処理（例えば、プリコーディング）を行い得、出力シンボルストリームを送信変調器／復調器１０３２および１０３３に提供し得る。各変調器／復調器１０３２〜１０３３は、それぞれの出力シンボルストリーム（例えば、ＯＦＤＭ等についての）を処理して、出力サンプルストリームを取得し得る。各変調器／復調器１０３２〜１０３３はさらに、出力サンプルストリームを処理（例えば、アナログへの変換、増幅、フィルタ、およびアップコンバート）してＤＬ信号を取得し得る。一例では、変調器／復調器１０３２および１０３３からのＤＬ信号が、それぞれアンテナ１０３４および１０３５を介して送信され得る。
【００９１】
[00100]  ＵＥ１１５は、図１、図２、および図３を参照して説明されたＵＥ１１５の態様の例であり得る。ＵＥ１１５において、ＵＥアンテナ１０５２および１０５３は、基地局１０５からＤＬ信号を受信し得、それら受信信号をそれぞれ変調器／復調器１０５４および１０５５に提供し得る。各変調器／復調器１０５４〜１０５５は、それぞれの受信信号を調整（例えば、フィルタ、増幅、ダウンコンバート、およびデジタル化）して入力サンプルを取得し得る。各変調器／復調器１０５４〜１０５５は、それら入力サンプル（例えば、ＯＦＤＭ等についての）をさらに処理して受信されたシンボルを取得し得る。ＭＩＭＯ検出器１０５６は、変調器／復調器１０５４および１０５５から、受信されたシンボルを取得し、該当する場合、それら受信されたシンボルに対してＭＩＭＯ検出を行い、検出されたシンボルを提供し得る。受信（Ｒｘ）プロセッサ１０５８は、検出されたシンボルを処理（例えば、復調、デインタリーブ、および復号）し、ＵＥ１１５のための復号されたデータをデータ出力に提供し、およびプロセッサ１０８０、またはメモリ１０８２に、復号された制御情報を提供し得る。
【００９２】
[00101]  プロセッサ１０８０は、一部のケースにおいて、通信コンポーネント３４０をインスタンス化（instantiate）するために、記憶された命令を実行し得る（例えば、図１および図３参照）。
【００９３】
[00102]  アップリンク（ＵＬ）では、ＵＥ１１５において、送信プロセッサ１０６４がデータソースからのデータを受け取り得るおよび処理し得る。送信プロセッサ１０６４はまた、基準信号のための参照シンボルを生成し得る。送信プロセッサ１０６４からのシンボルは、該当する場合、送信ＭＩＭＯプロセッサ１０６６によってプリコーディングされ得、変調器／復調器１０５４および１０５５によって（例えば、ＳＣ−ＦＤＭＡ等について）さらに処理されて、基地局１０５から受信される通信パラメータに従って基地局１０５に送信され得る。基地局１０５において、ＵＥ１１５からのＵＬ信号は、アンテナ１０３４および１０３５によって受信され、変調器／復調器１０３２および１０３３によって処理されて、該当する場合、ＭＩＭＯ検出器１０３６によって検出され、受信プロセッサ１０３８によってさらに処理され得る。受信プロセッサ１０３８は、復号されたデータをデータ出力に、およびプロセッサ１０４０またはメモリ１０４２に提供し得る。
【００９４】
[00103]  プロセッサ１０４０は、一部のケースにおいて、スケジューリングコンポーネント２４０をインスタンス化（instantiate）するために記憶された命令を実行し得る（例えば、図１および図２参照）。
【００９５】
[00104]  ＵＥ１１５のコンポーネントは、ハードウェアにおいて適用可能な機能のうちのいくつかまたは全てを行うように適合された１つまたは複数のＡＳＩＣで独立してまたは集合的に実施され得る。言及されたモジュールの各々は、ＭＩＭＯ通信システム１０００の動作に関する１つまたは複数の機能を行うための手段であり得る。同様に、基地局１０５のコンポーネントは、ハードウェアにおいて適用可能な機能のうちのいくつかまたは全てを行うように適合された１つまたは複数のＡＳＩＣで独立してまたは集合的に実施され得る。言及されたコンポーネントの各々は、ＭＩＭＯ通信システム１０００の動作に関する１つまたは複数の機能を行うための手段であり得る。
【００９６】
[00105]  添付の図面に関連して上述された上の詳細な説明は、例を説明するものであって、特許請求の範囲の範疇にある、または実施され得る例のみを表すわけではない。この説明で使用されるとき、「例」という用語は、「例、事例、または例示としての役割を果たす」ことを意味し、「より好ましい」または「他の例よりも有利である」ことを意味しない。詳細な説明は、説明された技法の理解を提供することを目的として特定の詳細を含む。しかしながら、これら技法は、これら特定の詳細なしに実践され得る。いくつかの事例において、周知の構造および装置は、説明された例の概念を不明瞭にすることを避けるために、ブロック図の形式で示される。
【００９７】
[00106]  情報および信号は、多様な異なる技術および技法のうちのいずれを使用しても表され得る。例えば、上の説明を通して言及された可能性のあるデータ、命令、コマンド、情報、信号、ビット、シンボルおよびチップは、電圧、電流、電磁波、磁場または磁性粒子、光場または光粒子、コンピュータ読み取り可能な媒体上に記憶されたコンピュータ実行可能なコードまたは命令、あるいはこれらの任意の組合せによっても表され得る。
【００９８】
[00107]  ここで本開示に関連して説明された様々な例示的なブロックおよびコンポーネントは、限定するわけではないが、例えば、ここに説明された機能を実施するように設計された、プロセッサ、デジタルシグナルプロセッサ（ＤＳＰ）、ＡＳＩＣ、ＦＰＧＡまたは他のプログラマブル論理デバイス、ディスクリートゲートまたはトランジスタ論理、ディスクリートハードウェアコンポーネント、またはこれらの任意の組合せ等の特別にプログラムされたデバイスで実施または行われ得る。特別にプログラムされたプロセッサは、マイクロプロセッサであり得るが、別の方法において、プロセッサは、いかなる従来のプロセッサ、コントローラ、マイクロコントローラ、またはステートマシンでもあり得る。特別にプログラムされたプロセッサはまた、コンピューティングデバイスの組合せ、例えば、ＤＳＰとマイクロプロセッサとの組合せ、複数のマイクロプロセッサ、ＤＳＰコアと連携した１つまたは複数のマイクロプロセッサ、または任意の他のそのような構成としても実施され得る。
【００９９】
[00108]  ここで説明された機能は、ハードウェア、プロセッサによって実行されるソフトウェア、ファームウェア、またはこれらの任意の組合せで実施され得る。プロセッサによって実行されるソフトウェアで実施される場合、それら機能は、非一時的なコンピュータ読み取り可能な媒体上の１つまたは複数の命令またはコードとして記憶または送信され得る。他の例および実施が、添付の特許請求の範囲および本開示の適用範囲および精神内にある。例えば、ソフトウェアの性質に起因して、上述した機能は、特別にプログラムされたプロセッサ、ハードウェア、ファームウェア、ハードワイヤリング、またはこれらの任意の組合せによって実行されるソフトウェアを使用して実施され得る。機能を実施する特徴はまた、機能の一部が異なる物理的ロケーションにおいて実施されるように分配された状態を含む、様々な位置に物理的に配置され得る。また、請求項を含め、ここで使用される場合、「のうちの少なくとも１つ」で終わる項目のリストで使用される「または（or）」は、例えば、「Ａ、ＢまたはＣのうちの少なくとも１つ」というリストが、ＡまたはＢまたはＣまたはＡＢまたはＡＣまたはＢＣまたはＡＢＣ（すなわち、ＡおよびＢおよびＣ）を意味するような、選言的なリスト（a disjunctive list）を示す。
【０１００】
[00109]  コンピュータ読み取り可能な媒体は、１つの場所から別の場所へのコンピュータプログラムの転送を容易にする任意の媒体を含む通信媒体およびコンピュータ記憶媒体の両方を含む。記憶媒体は、汎用または専用コンピュータによってアクセスされ得る任意の利用可能な媒体であり得る。限定ではなく例として、コンピュータ読み取り可能な媒体は、ＲＡＭ、ＲＯＭ、ＥＥＰＲＯＭ（登録商標）、ＣＤ−ＲＯＭ、または他の光ディスク記憶装置、磁気ディスク記憶装置または他の磁気記憶デバイス、あるいは、命令またはデータ構造の形態で所望のプログラムコード手段を搬送または記憶するために使用され得、且つ汎用または専用コンピュータ、あるいは汎用または専用プロセッサによってアクセスされ得るいかなる他の媒体も備えることができる。また、いかなる接続も、コンピュータ読み取り可能な媒体と適切に称される。例えば、ソフトウェアが、同軸ケーブル、光ファイバーケーブル、ツイストペア、デジタル加入者回線（ＤＳＬ）、または赤外線、無線、およびマイクロ波のようなワイヤレス技術を使用して、ウェブサイト、サーバ、または他の遠隔ソースから送信される場合、同軸ケーブル、光ファイバーケーブル、ツイストペア、ＤＳＬ、または赤外線、無線、およびマイクロ波のようなワイヤレス技術は、媒体の定義に含まれる。ここで使用される場合、ディスク（disk）およびディスク（disc）は、コンパクトディスク（disc）（ＣＤ）、レーザーディスク（登録商標）（disc）、光ディスク（disc）、デジタル多目的ディスク（disc）（ＤＶＤ）、フロッピー（登録商標）ディスク（disk）およびＢｌｕ−ｒａｙ（登録商標）ディスク（disc）を含み、ここで、ディスク（disks）は、通常磁気的にデータを再生し、一方ディスク（discs）は、レーザーで光学的にデータを再生する。上記の組合せもまた、コンピュータ読み取り可能な媒体の範囲内に含まれる。
【０１０１】
[00110]  本開示の先の説明は、当業者が本開示を製造するまたは使用することを可能にするために提供されている。本開示への様々な修正は、当業者にとって容易に明らかとなり、ここに定義された共通の原理は、本開示の範囲または精神から逸脱することなく、他のバリエーションに適用され得る。さらに、説明された態様および／または実施形態の要素は、単数形で説明され得るまたは特許請求され得るが、単数形への限定が明記されていない限り、複数形が考慮されている。さらに、任意の態様および／または実施形態の一部または全体は、そうでないと記載されていない限り、任意の他の態様および／または実施形態の一部または全体と共に利用され得る。従って、本開示は、ここに説明された例および設計に限定されるべきではなく、ここに開示された原理および新規な特徴と一致する最も広い範囲を与えられるべきである。
【図１】
2020511836.tif 000003
【図２】
2020511836.tif 000004
【図３】
2020511836.tif 000005
【図４】
2020511836.tif 000006
【図５】
2020511836.tif 000007
【図６】
2020511836.tif 000008
【図７】
2020511836.tif 000009
【図８】
2020511836.tif 000010
【図９】
2020511836.tif 000011
【図１０】
2020511836.tif 000012
【国際調査報告】
2020511836.tif 000013
2020511836.tif 000014
2020511836.tif 000015
2020511836.tif 000016
2020511836.tif 000017
2020511836.tif 000018